(57)【要約】  ワイヤレス通信のための方法、システム、およびデバイスが説明される。１つの方法は、１次セル（ＰＣｅｌｌ）と、いくつかの態様では、物理アップリンク制御チャネル（ＰＵＣＣＨ）対応２次セル（ＳＣｅｌｌ）とを含み得るキャリアアグリゲーション（ＣＡ）構成のコンポーネントキャリア（ＣＣ）のためのアップリンク制御情報（ＵＣＩ）を識別することと、ＵＣＩ特性またはアップリンク制御チャネルフォーマットに少なくとも部分的に基づいて、ＵＣＩについての巡回冗長検査（ＣＲＣ）情報を含めることを決定することと、ＵＣＩとＣＲＣ情報とを備えるアップリンクチャネルを送信することとを含む。
2018518105.tif 000002
【特許請求の範囲】
【請求項１】
ワイヤレス通信の方法であって、
キャリアアグリゲーション（ＣＡ）構成のコンポーネントキャリア（ＣＣ）のためのアップリンク制御情報（ＵＣＩ）を識別することと、
ＵＣＩ特性またはアップリンク制御チャネルフォーマットに少なくとも部分的に基づいて、前記ＵＣＩについての巡回冗長検査（ＣＲＣ）情報を含めることを決定することと、
前記ＵＣＩと前記ＣＲＣ情報とを備えるアップリンクチャネルを送信することと
を備える、方法。
【請求項２】
前記ＣＡ構成が、１次セル（ＰＣｅｌｌ）と、物理アップリンク制御チャネル（ＰＵＣＣＨ）対応２次セル（ＳＣｅｌｌ）とをさらに備える、請求項１に記載の方法。
【請求項３】
ＣＲＣ情報を含めることを決定することが、少なくとも第１のグループと第２のグループとについて別々に実行され、ここにおいて、前記第１のグループが前記ＰＣｅｌｌを備え、前記第２のグループが前記ＰＵＣＣＨ対応ＳＣｅｌｌを備える、請求項２に記載の方法。
【請求項４】
前記ＣＣが無認可スペクトルの周波数リソースを備えると決定することをさらに備え、ここにおいて、前記ＵＣＩについてのＣＲＣ情報を含めるという前記決定は、前記キャリアが前記無認可スペクトルの前記周波数リソースを備えるという前記決定に少なくとも部分的に基づく、
請求項１に記載の方法。
【請求項５】
前記ＵＣＩ特性が前記ＵＣＩのペイロードサイズを備える、請求項１に記載の方法。
【請求項６】
前記ＵＣＩのペイロードサイズを識別することをさらに備え、ここにおいて、前記ＣＲＣ情報を含めるという前記決定は、前記ペイロードサイズがしきい値を超えることに少なくとも部分的に基づく、
請求項５に記載の方法。
【請求項７】
前記しきい値は、前記アップリンクチャネルが、物理アップリンク制御チャネル（ＰＵＣＣＨ）を備えるのか、物理アップリンク共有チャネル（ＰＵＳＣＨ）を備えるのかに少なくとも部分的に基づく、請求項６に記載の方法。
【請求項８】
前記ＵＣＩの前記ペイロードサイズは、無線リソース制御（ＲＲＣ）構成、動的シグナリング、またはトランスポートブロックの数、またはそれらの任意の組合せのうちの少なくとも１つに少なくとも部分的に基づいて識別される、請求項６に記載の方法。
【請求項９】
前記ＵＣＩの前記ペイロードのためのコーディング方式を選択することをさらに備え、ここにおいて、前記ＣＲＣ情報を含めるという前記決定が、前記コーディング方式に関連する、
請求項５に記載の方法。
【請求項１０】
前記ＣＡ構成の前記ＣＣのためのＵＣＩを識別することが、
前記ＣＡ構成の複数のＣＣのためのＵＣＩを識別することを備え、ここにおいて、ＣＲＣ情報を含めるという前記決定が、前記複数中の数量に少なくとも部分的に基づく、
請求項５に記載の方法。
【請求項１１】
前記ＵＣＩ特性がＵＣＩタイプを備える、請求項１に記載の方法。
【請求項１２】
前記ＵＣＩが複数のＵＣＩタイプを備え、ここにおいて、ＣＲＣ情報を含めるという前記決定が、
前記複数のうちの１つまたは複数のＵＣＩタイプについて別々にＣＲＣ情報を含めるべきかどうかを決定すること
を備える、請求項１に記載の方法。
【請求項１３】
前記複数のＵＣＩタイプが、肯定応答（ＡＣＫ）、否定ＡＣＫ（ＮＡＫ）、チャネル品質インジケータ（ＣＱＩ）、プリコーディング行列インジケータ（ＰＭＩ）、ランクインジケータ（ＲＩ）、プロシージャトランザクション識別子（ＰＴＩ）、スケジューリング要求（ＳＲ）、またはそれらの任意の組合せのうちの少なくとも１つを備える、請求項１２に記載の方法。
【請求項１４】
前記ＣＲＣ情報が、ＵＣＩタイプに少なくとも部分的に基づく数ビットを備える、請求項１に記載の方法。
【請求項１５】
前記アップリンクチャネルが、ＰＣｅｌｌ上の物理アップリンク制御チャネル（ＰＵＣＣＨ）を備える、請求項１に記載の方法。
【請求項１６】
前記アップリンクチャネルが、ＰＵＣＣＨ対応ＳＣｅｌｌ上の物理アップリンク制御チャネル（ＰＵＣＣＨ）を備える、請求項１に記載の方法。
【請求項１７】
前記アップリンクチャネルが物理アップリンク共有チャネル（ＰＵＳＣＨ）を備える、請求項１に記載の方法。
【請求項１８】
前記ＣＡ構成が６つ以上のコンポーネントキャリア（ＣＣ）を備える、請求項１に記載の方法。
【請求項１９】
ワイヤレス通信のための装置であって、
キャリアアグリゲーション（ＣＡ）構成のコンポーネントキャリア（ＣＣ）のためのアップリンク制御情報（ＵＣＩ）を識別するための手段と、
ＵＣＩ特性またはアップリンク制御チャネルフォーマットに少なくとも部分的に基づいて、前記ＵＣＩについての巡回冗長検査（ＣＲＣ）情報を含めることを決定するための手段と、
前記ＵＣＩと前記ＣＲＣ情報とを備えるアップリンクチャネルを送信するための手段と
を備える、装置。
【請求項２０】
前記ＣＡ構成が、１次セル（ＰＣｅｌｌ）と、物理アップリンク制御チャネル（ＰＵＣＣＨ）対応２次セル（ＳＣｅｌｌ）とをさらに備える、請求項１９に記載の装置。
【請求項２１】
前記ＣＣが無認可スペクトルの周波数リソースを備えると決定するための手段をさらに備え、ここにおいて、前記ＵＣＩについてのＣＲＣ情報を含めるという前記決定は、前記キャリアが前記無認可スペクトルの前記周波数リソースを備えるという前記決定に少なくとも部分的に基づく、
請求項１９に記載の装置。
【請求項２２】
前記ＵＣＩ特性が前記ＵＣＩのペイロードサイズを備える、請求項１９に記載の装置。
【請求項２３】
前記ＵＣＩのペイロードサイズを識別するための手段をさらに備え、ここにおいて、前記ＣＲＣ情報を含めるという前記決定は、前記ペイロードサイズがしきい値を超えることに少なくとも部分的に基づく、
請求項２２に記載の装置。
【請求項２４】
前記しきい値は、前記アップリンクチャネルが、物理アップリンク制御チャネル（ＰＵＣＣＨ）を備えるのか、物理アップリンク共有チャネル（ＰＵＳＣＨ）を備えるのかに少なくとも部分的に基づく、請求項２３に記載の装置。
【請求項２５】
前記ＵＣＩの前記ペイロードサイズは、無線リソース制御（ＲＲＣ）構成、動的シグナリング、またはトランスポートブロックの数、またはそれらの任意の組合せのうちの少なくとも１つに少なくとも部分的に基づいて識別される、請求項２３に記載の装置。
【請求項２６】
前記ＵＣＩの前記ペイロードのためのコーディング方式を選択するための手段をさらに備え、ここにおいて、前記ＣＲＣ情報を含めるという前記決定が、前記コーディング方式に関連する、
請求項２２に記載の装置。
【請求項２７】
前記ＣＡ構成の前記ＣＣのためのＵＣＩを識別するための前記手段が、
前記ＣＡ構成の複数のＣＣのためのＵＣＩを識別するための手段を備え、ここにおいて、ＣＲＣ情報を含めるという前記決定が、前記複数中の数量に少なくとも部分的に基づく、
請求項２２に記載の装置。
【請求項２８】
前記ＵＣＩ特性がＵＣＩタイプを備える、請求項１９に記載の装置。
【請求項２９】
前記ＵＣＩが複数のＵＣＩタイプを備え、ここにおいて、前記ＵＣＩについてのＣＲＣ情報を含めることを決定するための前記手段が、
前記複数のうちの１つまたは複数のＵＣＩタイプについて別々にＣＲＣ情報を含めるべきかどうかを決定するための手段
を備える、請求項１９に記載の装置。
【請求項３０】
前記複数のＵＣＩタイプが、肯定応答（ＡＣＫ）、否定ＡＣＫ（ＮＡＫ）、チャネル品質インジケータ（ＣＱＩ）、プリコーディング行列インジケータ（ＰＭＩ）、ランクインジケータ（ＲＩ）、プロシージャトランザクション識別子（ＰＴＩ）、スケジューリング要求（ＳＲ）、またはそれらの任意の組合せのうちの少なくとも１つを備える、請求項２９に記載の装置。
【請求項３１】
前記ＣＲＣ情報が、ＵＣＩタイプに少なくとも部分的に基づく数ビットを備える、請求項１９に記載の装置。
【請求項３２】
前記アップリンクチャネルが、ＰＣｅｌｌ上の物理アップリンク制御チャネル（ＰＵＣＣＨ）を備える、請求項１９に記載の装置。
【請求項３３】
前記アップリンクチャネルが、ＰＵＣＣＨ対応ＳＣｅｌｌ上の物理アップリンク制御チャネル（ＰＵＣＣＨ）を備える、請求項１９に記載の装置。
【請求項３４】
前記アップリンクチャネルが物理アップリンク共有チャネル（ＰＵＳＣＨ）を備える、請求項１９に記載の装置。
【請求項３５】
前記ＣＡ構成が６つ以上のコンポーネントキャリア（ＣＣ）を備える、請求項１９に記載の装置。
【請求項３６】
ワイヤレス通信のための装置であって、
プロセッサと、
前記プロセッサと電子通信しているメモリと、
前記メモリに記憶された命令とを備え、前記命令が、前記プロセッサによって実行されたとき、前記装置に、
キャリアアグリゲーション（ＣＡ）構成のコンポーネントキャリア（ＣＣ）のためのアップリンク制御情報（ＵＣＩ）を識別することと、
ＵＣＩ特性またはアップリンク制御チャネルフォーマットに少なくとも部分的に基づいて、前記ＵＣＩについての巡回冗長検査（ＣＲＣ）情報を含めることを決定することと、
前記ＵＣＩと前記ＣＲＣ情報とを備えるアップリンクチャネルを送信することと
を行わせるように動作可能である、
装置。
【請求項３７】
前記ＣＡ構成が、１次セル（ＰＣｅｌｌ）と、物理アップリンク制御チャネル（ＰＵＣＣＨ）対応２次セル（ＳＣｅｌｌ）とをさらに備える、請求項３６に記載の装置。
【請求項３８】
前記命令が、前記プロセッサに、
前記ＣＣが無認可スペクトルの周波数リソースを備えると決定することを行わせるように動作可能であり、ここにおいて、前記ＵＣＩについてのＣＲＣ情報を含めるという前記決定は、前記キャリアが前記無認可スペクトルの前記周波数リソースを備えるという前記決定に少なくとも部分的に基づく、
請求項３６に記載の装置。
【請求項３９】
前記ＵＣＩが複数のＵＣＩタイプを備え、ここにおいて、前記命令が、前記プロセッサに、
前記複数のうちの１つまたは複数のＵＣＩタイプについて別々にＣＲＣ情報を含めるべきかどうかを決定すること
を行わせるように動作可能である、請求項３６に記載の装置。
【請求項４０】
非一時的コンピュータ可読媒体を備えるコンピュータプログラム製品であって、前記非一時的コンピュータ可読媒体が、
キャリアアグリゲーション（ＣＡ）構成のコンポーネントキャリア（ＣＣ）のためのアップリンク制御情報（ＵＣＩ）を識別するための命令と、
ＵＣＩ特性またはアップリンク制御チャネルフォーマットに少なくとも部分的に基づいて、前記ＵＣＩについての巡回冗長検査（ＣＲＣ）情報を含めることを決定するための命令と、
前記ＵＣＩと前記ＣＲＣ情報とを備えるアップリンクチャネルを送信するための命令と
を備える、コンピュータプログラム製品。
【発明の詳細な説明】
【技術分野】
【０００１】
相互参照
[0001]本特許出願は、各々が本出願の譲受人に譲渡された、２０１６年５月２５日に出願された、「Cyclic Redundancy Check for Uplink Control Information on Control and Data Channels」と題する、Ｃｈｅｎらによる米国特許出願第１５／１６４，３８６号、および２０１５年５月２７日に出願された、「CRC for Uplink Control Information (UCI) on Control and Data Channels」と題する、Ｃｈｅｎらによる米国仮特許出願第６２／１６７，２５５号の優先権を主張する。
【０００２】
[0002]以下は、一般にワイヤレス通信に関し、より詳細には、制御およびデータチャネル上のアップリンク制御情報（ＵＣＩ）についての巡回冗長検査（ＣＲＣ）の送信に関する。
【背景技術】
【０００３】
[0003]ワイヤレス通信システムは、音声、ビデオ、パケットデータ、メッセージング、ブロードキャストなど、様々なタイプの通信コンテンツを提供するために広く展開されている。これらのシステムは、利用可能なシステムリソース（たとえば、時間、周波数、および電力）を共有することによって複数のユーザとの通信をサポートすることが可能であり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム（たとえば、ロングタームエボリューション（ＬＴＥ（登録商標））またはＬＴＥアドバンスト（ＬＴＥ−Ａ）システム）がある。ワイヤレス多元接続通信システムは、場合によってはユーザ機器（ＵＥ）として知られていることがある、複数の通信デバイスのための通信を各々が同時にサポートする、いくつかの基地局を含み得る。
【０００４】
[0004]いくつかの通信モードは、セルラーネットワークの共有無線周波数スペクトル帯域上での、または異なる無線周波数スペクトル帯域（たとえば、専用無線周波数スペクトル帯域および共有無線周波数スペクトル帯域）上での基地局とＵＥとの間の通信を可能にし得る。専用（たとえば、認可）無線周波数スペクトル帯域を使用するセルラーネットワークにおけるデータトラフィックの増加とともに、少なくとも一部のデータトラフィックの、共有無線周波数スペクトル帯域へのオフローディングは、セルラー事業者に拡張データ送信容量のための機会を与え得る。共有無線周波数スペクトル帯域はまた、専用無線周波数スペクトル帯域へのアクセスが利用不可能であるエリア中でサービスを与え得る。
【０００５】
[0005]いくつかの通信モードは、（たとえば、基地局およびＵＥがキャリアアグリゲーション（ＣＡ）モードで動作するとき）並列の（in parallel）複数の（multiple）コンポーネントキャリア上での基地局とＵＥとの間の通信を可能にするか、（たとえば、基地局およびＵＥがデュアル接続性モードで動作するとき）並列の複数のコンポーネントキャリア上での複数の基地局とＵＥとの間の通信を可能にし得る。
【０００６】
[0006]いくつかの例では、共有無線周波数スペクトル帯域上での基地局とＵＥとの間の通信、および／または並列の複数のコンポーネントキャリア上での基地局とＵＥとの間の通信は、専用無線周波数スペクトル帯域（たとえば、ＬＴＥ／ＬＴＥ−Ａ通信のために使用可能な認可無線周波数スペクトル帯域）における単一のコンポーネントキャリア上での基地局とＵＥとの間の通信と比較して、通信の信頼性を低減し得る。
【発明の概要】
【０００７】
[0007]本開示は、たとえば、制御およびデータチャネル上のアップリンク制御情報（ＵＣＩ）についての巡回冗長検査（ＣＲＣ）を送信するための１つまたは複数の技法に関する。ユーザ機器（ＵＥ）が、１次セル（ＰＣｅｌｌ）を含み得るキャリアアグリゲーション（ＣＡ）構成のコンポーネントキャリア（ＣＣ）のためのＵＣＩを識別し得る。いくつかの態様では、ＣＡ構成は、物理アップリンク制御チャネル（ＰＵＣＣＨ）対応（enabled）２次セル（ＳＣｅｌｌ）をも含み得る。ＵＥは、ＵＣＩ特性またはアップリンク制御チャネルフォーマットに基づいて、ＵＣＩについてのＣＲＣ情報を含めることを決定し得る。ＵＥは、ＵＣＩとＣＲＣ情報とを含むアップリンクチャネルを送信し得る。ＵＥは、ＣＣが無認可スペクトルの周波数リソースを含むと決定し得、したがって、ＵＣＩについてのＣＲＣ情報を含めるという決定は、キャリアが無認可スペクトルの周波数リソースを含むという決定に基づき得る。ＵＥは、ＵＣＩのペイロードサイズを識別し得、したがって、ＣＲＣ情報を含めるという決定は、ペイロードサイズがしきい値を超えることに基づき得る。ＵＥは、ＵＣＩのペイロードのためのコーディング方式（coding scheme）を選択し得、したがって、ＣＲＣ情報を含めるという決定が、コーディング方式に基づき得る。
【０００８】
[0008]ワイヤレス通信の方法が説明される。本方法は、ＣＡ構成のＣＣのためのＵＣＩを識別することと、ＵＣＩ特性またはアップリンク制御チャネルフォーマットに少なくとも部分的に基づいて、ＵＣＩについてのＣＲＣ情報を含めることを決定することと、ＵＣＩとＣＲＣ情報とを含むアップリンクチャネルを送信することとを含み得る。
【０００９】
[0009]ワイヤレス通信のための装置が説明される。本装置は、ＣＡ構成のＣＣのためのＵＣＩを識別するための手段と、ＵＣＩ特性またはアップリンク制御チャネルフォーマットに少なくとも部分的に基づいて、ＵＣＩについてのＣＲＣ情報を含めることを決定するための手段と、ＵＣＩとＣＲＣ情報とを含むアップリンクチャネルを送信するための手段とを含み得る。
【００１０】
[0010]ワイヤレス通信のためのさらなる装置が説明される。本装置は、プロセッサと、プロセッサと電子通信している（in electronic communication with）メモリと、メモリに記憶された命令とを含み得、命令は、プロセッサによって実行されたとき、本装置に、ＣＡ構成のＣＣのためのＵＣＩを識別することと、ＵＣＩ特性またはアップリンク制御チャネルフォーマットに少なくとも部分的に基づいて、ＵＣＩについてのＣＲＣ情報を含めることを決定することと、ＵＣＩとＣＲＣ情報とを含むアップリンクチャネルを送信することとを行わせるように動作可能である。
【００１１】
[0011]非一時的コンピュータ可読媒体を含むコンピュータプログラム製品が説明される。非一時的コンピュータ可読媒体は、ＣＡ構成のＣＣのためのＵＣＩを識別するための命令と、ＵＣＩ特性またはアップリンク制御チャネルフォーマットに少なくとも部分的に基づいて、ＵＣＩについてのＣＲＣ情報を含めることを決定するための命令と、ＵＣＩとＣＲＣ情報とを含むアップリンクチャネルを送信するための命令とを含み得る。
【００１２】
[0012]本明細書で説明される方法、装置、または非一時的コンピュータ可読媒体のいくつかの例は、ＣＣが無認可スペクトルの周波数リソースを含むと決定するためのプロセス、特徴、手段、または命令をさらに含み得、ここにおいて、ＵＣＩについてのＣＲＣ情報を含めるという決定は、キャリアが無認可スペクトルの周波数リソースを含むという決定に少なくとも部分的に基づく。追加または代替として、いくつかの例では、ＵＣＩ特性はＵＣＩのペイロードサイズを含み得る。追加または代替として、いくつかの例では、ＣＡ構成はＰＣｅｌｌと、いくつかの例では、ＰＵＣＣＨ対応ＳＣｅｌｌとを含み得る。追加または代替として、ＣＲＣ情報を含めることを決定することは、少なくとも第１のグループと第２のグループとについて別々に（separately）実行され得、ここにおいて、第１のグループはＰＣｅｌｌを備え、第２のグループはＰＵＣＣＨ対応ＳＣｅｌｌを備える。
【００１３】
[0013]本明細書で説明される方法、装置、または非一時的コンピュータ可読媒体のいくつかの例は、ＵＣＩのペイロードサイズを識別するためのプロセス、特徴、手段、または命令をさらに含み得、ここにおいて、ＣＲＣ情報を含めるという決定は、ペイロードサイズがしきい値を超えることに少なくとも部分的に基づく。追加または代替として、いくつかの例では、しきい値は、アップリンクチャネルが、ＰＵＣＣＨを含むのか、物理アップリンク共有チャネル（ＰＵＳＣＨ）を含むのかに少なくとも部分的に基づく。
【００１４】
[0014]本明細書で説明される方法、装置、または非一時的コンピュータ可読媒体のいくつかの例では、ＵＣＩのペイロードサイズは、無線リソース制御（ＲＲＣ）構成、動的シグナリング、またはトランスポートブロックの数（a number of transport blocks）、またはそれらの任意の組合せのうちの少なくとも１つに少なくとも部分的に基づいて識別される。追加または代替として、いくつかの例は、ＵＣＩのペイロードのためのコーディング方式を選択するためのプロセス、特徴、手段、または命令を含み得、ここにおいて、ＣＲＣ情報を含めるという決定は、コーディング方式に関連する。
【００１５】
[0015]本明細書で説明される方法、装置、または非一時的コンピュータ可読媒体のいくつかの例では、ＣＡ構成のＣＣのためのＵＣＩを識別することは、ＣＡ構成の複数のＣＣのためのＵＣＩを識別することを含み得、ここにおいて、ＣＲＣ情報を含めるという決定が、複数中の数量（quantity in the plurality）に少なくとも部分的に基づく。追加または代替として、いくつかの例では、ＵＣＩ特性はＵＣＩタイプを含み得る。
【００１６】
[0016]本明細書で説明される方法、装置、または非一時的コンピュータ可読媒体のいくつかの例では、ＵＣＩは複数のＵＣＩタイプを含み得、ＣＲＣ情報を含めるという決定は、複数のうちの１つまたは複数のＵＣＩタイプについて別々にＣＲＣ情報を含めるべきかどうかを決定することを含み得る。追加または代替として、いくつかの例では、複数のＵＣＩタイプは、肯定応答（ＡＣＫ）、否定応答（ＮＡＫ）、チャネル品質インジケータ（ＣＱＩ）、プリコーディング行列インジケータ（ＰＭＩ）、ランクインジケータ（ＲＩ）、プロシージャトランザクション識別子（ＰＴＩ：procedure transaction identifier）、スケジューリング要求（ＳＲ）、またはそれらの任意の組合せのうちの少なくとも１つを含み得る。
【００１７】
[0017]本明細書で説明される方法、装置、または非一時的コンピュータ可読媒体のいくつかの例では、ＣＲＣ情報は、ＵＣＩタイプに少なくとも部分的に基づく数ビット（a number bits）を含み得る。追加または代替として、いくつかの例では、アップリンクチャネルはＰＣｅｌｌ上のＰＵＣＣＨを含み得る。
【００１８】
[0018]本明細書で説明される方法、装置、または非一時的コンピュータ可読媒体のいくつかの例では、アップリンクチャネルはＰＵＣＣＨ対応ＳＣｅｌｌ上のＰＵＣＣＨを含み得る。追加または代替として、いくつかの例では、アップリンクチャネルは物理アップリンク共有チャネル（ＰＵＳＣＨ）を含み得る。追加または代替として、いくつかの例では、ＣＡ構成は６つ以上の（more than five）ＣＣを含み得る。
【００１９】
[0019]本開示の態様が、以下の図を参照しながら説明される。
【図面の簡単な説明】
【００２０】
【図１】[0020]本開示の様々な態様による、制御およびデータチャネル上のアップリンク制御情報（ＵＣＩ）についての巡回冗長検査（ＣＲＣ）の送信をサポートするワイヤレス通信システムの一例を示す図。
【図２】[0021]本開示の様々な態様による、ロングタームエボリューション（ＬＴＥ）／ＬＴＥアドバンスト（ＬＴＥ−Ａ）が、専用無線周波数スペクトル帯域または共有無線周波数スペクトル帯域を使用して異なるシナリオの下で展開され得るワイヤレス通信システムの一例を示す図。
【図３】[0022]本開示の様々な態様による、共有無線周波数スペクトル帯域上でのワイヤレス通信の一例を示す図。
【図４】[0023]本開示の様々な態様による、ＬＴＥ／ＬＴＥ−Ａが、専用無線周波数スペクトル帯域または共有無線周波数スペクトル帯域を使用して異なるシナリオの下で展開され得るワイヤレス通信システムの一例を示す図。
【図５】[0024]本開示の様々な態様による、ＬＴＥ／ＬＴＥ−Ａがキャリアアグリゲーションシナリオにおいて展開され得るワイヤレス通信システムを示す図。
【図６】[0025]本開示の様々な態様による、ＬＴＥ／ＬＴＥ−Ａがデュアル接続性シナリオ（たとえば、多地点協調（ＣｏＭＰ：coordinated multipoint）シナリオ）において展開され得るワイヤレス通信システムを示す図。
【図７】[0026]本開示の様々な態様による、制御およびデータチャネル上のＵＣＩについてのＣＲＣの送信をサポートするワイヤレスデバイスのブロック図。
【図８】本開示の様々な態様による、制御およびデータチャネル上のＵＣＩについてのＣＲＣの送信をサポートするワイヤレスデバイスのブロック図。
【図９】本開示の様々な態様による、制御およびデータチャネル上のＵＣＩについてのＣＲＣの送信をサポートするワイヤレスデバイスのブロック図。
【図１０】[0027]本開示の様々な態様による、制御およびデータチャネル上のＵＣＩについてのＣＲＣの送信をサポートするユーザ機器（ＵＥ）を含むシステムのブロック図。
【図１１】[0028]本開示の様々な態様による、制御およびデータチャネル上のＵＣＩについてのＣＲＣを送信するための方法を示す図。
【図１２】本開示の様々な態様による、制御およびデータチャネル上のＵＣＩについてのＣＲＣを送信するための方法を示す図。
【図１３】本開示の様々な態様による、制御およびデータチャネル上のＵＣＩについてのＣＲＣを送信するための方法を示す図。
【図１４】本開示の様々な態様による、制御およびデータチャネル上のＵＣＩについてのＣＲＣを送信するための方法を示す図。
【発明を実施するための形態】
【００２１】
[0029]ワイヤレス通信のための方法、システム、およびデバイスが説明される。方法、システム、およびデバイスは、少なくともいくつかの条件の下で、ユーザ機器（ＵＥ）のための巡回冗長検査（ＣＲＣ）を使用することによって、制御およびデータチャネル上のアップリンク制御情報（ＵＣＩ）を送信することの信頼性を増加させ得る。
【００２２】
[0030]以下の説明は、例を与えるものであり、特許請求の範囲に記載される範囲、適用可能性、または例を限定するものではない。本開示の範囲から逸脱することなく、説明される要素の機能および構成において変更が行われ得る。様々な例は、適宜に様々なプロシージャまたは構成要素を省略、置換、または追加し得る。たとえば、説明される方法は、説明される順序とは異なる順序で実行され得、様々なステップが追加、省略、または組み合わせられ得る。また、いくつかの例に関して説明される特徴は、他の例において組み合わせられ得る。
【００２３】
[0031]図１は、本開示の様々な態様による、制御およびデータチャネル上のＵＣＩについてのＣＲＣの送信をサポートするワイヤレス通信システム１００の一例を示す。ワイヤレス通信システム１００は、基地局１０５と、ＵＥ１１５と、コアネットワーク１３０とを含み得る。コアネットワーク１３０は、ユーザ認証と、アクセス許可と、トラッキングと、インターネットプロトコル（ＩＰ）接続性と、他のアクセス、ルーティング、またはモビリティ機能とを与え得る。基地局１０５は、バックホールリンク１３２（たとえば、Ｓ１など）を通してコアネットワーク１３０とインターフェースし得、ＵＥ１１５との通信のための無線構成およびスケジューリングを実行し得るか、または基地局コントローラ（図示せず）の制御下で動作し得る。様々な例では、基地局１０５は、ワイヤードまたはワイヤレス通信リンクであり得るバックホールリンク１３４（たとえば、Ｘ１など）を介して、直接的または間接的のいずれかで（たとえば、コアネットワーク１３０を通して）、互いと通信し得る。
【００２４】
[0032]基地局１０５は、１つまたは複数の基地局アンテナを介してＵＥ１１５とワイヤレス通信し得る。基地局１０５のサイトの各々は、それぞれの地理的カバレージエリア１１０に通信カバレージを与え得る。いくつかの例では、基地局１０５は、基地トランシーバ局、無線基地局、アクセスポイント、無線トランシーバ、ノードＢ、ｅノードＢ（ｅＮＢ）、ホームノードＢ、ホームｅノードＢ、または何らかの他の好適な用語で呼ばれることがある。基地局１０５のための地理的カバレージエリア１１０は、カバレージエリアの一部分を構成するセクタに分割され得る（図示せず）。ワイヤレス通信システム１００は、異なるタイプの基地局１０５（たとえば、マクロ基地局またはスモールセル基地局）を含み得る。異なる技術のための重複する地理的カバレージエリア１１０があり得る。
【００２５】
[0033]いくつかの例では、ワイヤレス通信システム１００はロングタームエボリューション（ＬＴＥ）／ＬＴＥアドバンスト（ＬＴＥ−Ａ）ネットワークを含み得る。ＬＴＥ／ＬＴＥ−Ａネットワークでは、発展型ノードＢ（ｅＮＢ）という用語は、基地局１０５を表すために使用され得、ＵＥという用語は、ＵＥ１１５を表すために使用され得る。ワイヤレス通信システム１００は、異なるタイプのｅＮＢが様々な地理的領域にカバレージを与える、異種ＬＴＥ／ＬＴＥ−Ａネットワークであり得る。たとえば、各ｅＮＢまたは基地局１０５は、マクロセル、スモールセル、または他のタイプのセルに通信カバレージを与え得る。「セル」という用語は、コンテキストに応じて、基地局、基地局に関連するキャリアまたはコンポーネントキャリア、あるいはキャリアまたは基地局のカバレージエリア（たとえば、セクタなど）を表すために使用され得る「第３世代パートナーシッププロジェクト」（３ＧＰＰ（登録商標））用語である。
【００２６】
[0034]マクロセルは、比較的大きい地理的エリア（たとえば、半径数キロメートル）をカバーし得、ネットワークプロバイダのサービスに加入しているＵＥによる無制限アクセスを可能にし得る。スモールセルは、マクロセルと比較して、マクロセルと同じまたは異なる（たとえば、専用、共有などの）無線周波数スペクトル帯域において動作し得る低電力基地局であり得る。スモールセルは、様々な例によれば、ピコセルとフェムトセルとマイクロセルとを含み得る。ピコセルは、比較的小さい地理的エリアをカバーし得、ネットワークプロバイダのサービスに加入しているＵＥによる無制限アクセスを可能にし得る。また、フェムトセルは、比較的小さい地理的エリア（たとえば、自宅）を同じくカバーし得、フェムトセルとの関連を有するＵＥ（たとえば、限定加入者グループ（ＣＳＧ：closed subscriber group）中のＵＥ、自宅内のユーザのためのＵＥなど）による制限付きアクセスを与え得る。マクロセルのためのｅＮＢはマクロｅＮＢと呼ばれることがある。スモールセルのためのｅＮＢは、スモールセルｅＮＢ、ピコｅＮＢ、フェムトｅＮＢまたはホームｅＮＢと呼ばれることがある。ｅＮＢは、１つまたは複数の（たとえば、２つ、３つ、４つなどの）セル（たとえば、コンポーネントキャリア）をサポートし得る。
【００２７】
[0035]ワイヤレス通信システム１００は同期動作または非同期動作をサポートし得る。同期動作の場合、基地局は同様のフレームタイミングを有し得、異なる基地局からの送信は近似的に時間的に整合され得る。非同期動作の場合、基地局は異なるフレームタイミングを有し得、異なる基地局からの送信は時間的に整合されないことがある。本明細書で説明される技法は、同期動作または非同期動作のいずれかのために使用され得る。
【００２８】
[0036]様々な開示される例のうちのいくつかに適応し得る通信ネットワークは、階層化プロトコルスタックに従って動作するパケットベースネットワークであり得る。ユーザプレーンでは、ベアラまたはパケットデータコンバージェンスプロトコル（ＰＤＣＰ：Packet Data Convergence Protocol）レイヤにおける通信はＩＰベースであり得る。無線リンク制御（ＲＬＣ：Radio Link Control）レイヤが、論理チャネルを介して通信するためにパケットセグメンテーションおよびリアセンブリを実行し得る。媒体アクセス制御（ＭＡＣ：Medium Access Control）レイヤが、優先度処理と、トランスポートチャネルへの論理チャネルの多重化とを実行し得る。ＭＡＣレイヤはまた、リンク効率を改善するためにＭＡＣレイヤにおいて再送信を行うためにハイブリッド自動再送要求（ＨＡＲＱ：hybrid automatic repeat request）を使用し得る。制御プレーンでは、無線リソース制御（ＲＲＣ）プロトコルレイヤが、ユーザプレーンデータのための無線ベアラをサポートする、ＵＥ１１５と基地局１０５またはコアネットワーク１３０との間のＲＲＣ接続の確立と構成と保守とを行い得る。物理（ＰＨＹ）レイヤにおいて、トランスポートチャネルは物理チャネルにマッピングされ得る。
【００２９】
[0037]ＵＥ１１５は、ワイヤレス通信システム１００全体にわたって分散され得、各ＵＥ１１５は固定または移動であり得る。ＵＥ１１５は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語をも含むか、あるいはそのように当業者によって呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、スモールセルｅＮＢ、リレー基地局などを含む、様々なタイプの基地局およびネットワーク機器と通信することが可能であり得る。
【００３０】
[0038]ワイヤレス通信システム１００に示されている通信リンク１２５は、基地局１０５からＵＥ１１５へのダウンリンク（ＤＬ）送信、またはＵＥ１１５から基地局１０５へのアップリンク（ＵＬ）送信を含み得る。ダウンリンク送信は順方向リンク送信と呼ばれることもあり、アップリンク送信は逆方向リンク送信と呼ばれることもある。いくつかの例では、ＵＬ送信はアップリンク制御情報の送信を含み得、アップリンク制御情報はアップリンク制御チャネル（たとえば、物理アップリンク制御チャネル（ＰＵＣＣＨ）または拡張ＰＵＣＣＨ（ｅＰＵＣＣＨ））上で送信され得る。アップリンク制御情報は、たとえば、ダウンリンク送信の肯定応答（ＡＣＫ）または否定応答（ＡＣＫ）、スケジューリング要求（ＳＲ）または拡張ＳＲ（ｅＳＲ）、あるいはチャネル状態情報（ＣＳＩ）を含み得る。ＵＬ送信はデータの送信をも含み得、データは、物理アップリンク共有チャネル（ＰＵＳＣＨ）または拡張ＰＵＳＣＨ（ｅＰＵＳＣＨ）上で送信され得る。ＰＵＣＣＨ、ＰＵＳＣＨ、またはＳＲへの本開示における言及は、それぞれのｅＰＵＣＣＨ、ｅＰＵＳＣＨ、またはｅＳＲへの言及を本質的に含むと推定される。
【００３１】
[0039]いくつかの例では、各通信リンク１２５は１つまたは複数のキャリアを含み得、ここで、各キャリアは、上記で説明された様々な無線技術に従って変調された複数のサブキャリア（たとえば、異なる周波数の波形信号）からなる信号であり得る。各被変調信号は、異なるサブキャリア上で送られ得、制御情報（たとえば、基準信号、制御チャネルなど）、オーバーヘッド情報、ユーザデータなどを搬送し得る。通信リンク１２５は、周波数領域複信（ＦＤＤ：frequency domain duplexing）動作を使用して（たとえば、対スペクトルリソースを使用して）、または時間領域複信（ＴＤＤ：time domain duplexing）動作を使用して（たとえば、不対スペクトルリソースを使用して）双方向通信を送信し得る。ＦＤＤ動作のためのフレーム構造（たとえば、フレーム構造タイプ１）とＴＤＤ動作のためのフレーム構造（たとえば、フレーム構造タイプ２）とが定義され得る。
【００３２】
[0040]ワイヤレス通信システム１００のいくつかの例では、基地局１０５またはＵＥ１１５は、基地局１０５とＵＥ１１５との間の通信品質と信頼性とを改善するために、アンテナダイバーシティ方式を採用するために複数のアンテナを含み得る。追加または代替として、基地局１０５またはＵＥ１１５は、同じまたは異なるコード化データを搬送する複数の空間レイヤを送信するために、マルチパス環境を利用し得る多入力多出力（ＭＩＭＯ）技法を採用し得る。
【００３３】
[0041]ワイヤレス通信システム１００は、複数のセルまたはキャリア上での動作、すなわち、キャリアアグリゲーション（ＣＡ）またはデュアル接続性動作と呼ばれることがある特徴をサポートし得る。キャリアは、コンポーネントキャリア（ＣＣ）、レイヤ、チャネルなどと呼ばれることもある。「キャリア」、「コンポーネントキャリア」、「セル」、および「チャネル」という用語は、本明細書では互換的に使用され得る。ＵＥ１１５は、キャリアアグリゲーションのために、複数のダウンリンクＣＣと１つまたは複数のアップリンクＣＣとで構成され得る。キャリアアグリゲーションは、ＦＤＤコンポーネントキャリアとＴＤＤコンポーネントキャリアの両方とともに使用され得る。
【００３４】
[0042]ＬＴＥ／ＬＴＥ−Ａネットワークでは、ＵＥ１１５は、キャリアアグリゲーションモードまたはデュアル接続性モードで動作しているとき、最高５つのＣＣを使用して通信するように構成され得る。ＣＣのうちの１つまたは複数はＤＬ  ＣＣとして構成され得、ＣＣのうちの１つまたは複数はＵＬ  ＣＣとして構成され得る。
【００３５】
[0043]いくつかの例では、ワイヤレス通信システム１００は、専用無線周波数スペクトル帯域（たとえば、ＬＴＥ／ＬＴＥ−Ａ通信のために使用可能な認可無線周波数スペクトル帯域（たとえば、認可スペクトル）など、無線周波数スペクトル帯域が、特定の使用のために特定のユーザに認可されているので、送信装置がそれのためにアクセスを求めて競合しないことがある、無線周波数スペクトル帯域）または共有無線周波数スペクトル帯域（たとえば、送信装置がそれのためにアクセスを求めて競合する必要があり得る、無線周波数スペクトル帯域（たとえば、Ｗｉ−Ｆｉ（登録商標）使用など、無認可使用のために利用可能である無線周波数スペクトル帯域（たとえば、無認可スペクトル）、あるいは等しく共有されるかまたは優先度を付けられた様式で複数の事業者が使用するために利用可能である無線周波数スペクトル帯域））上での動作をサポートし得る。専用無線周波数スペクトル帯域または共有無線周波数スペクトル帯域は、ＬＴＥ／ＬＴＥ−Ａ通信のために使用され得る。
【００３６】
[0044]専用無線周波数スペクトル帯域を使用するセルラーネットワークにおけるデータトラフィックの増加とともに、少なくとも一部のデータトラフィックの、共有無線周波数スペクトル帯域へのオフローディングは、セルラー事業者（たとえば、パブリックランドモバイルネットワーク（ＰＬＭＮ）またはＬＴＥ／ＬＴＥ−Ａネットワークなどのセルラーネットワークを画定する基地局の協調セットの事業者）に拡張データ送信容量のための機会を与え得る。共有無線周波数スペクトル帯域の使用はまた、専用無線周波数スペクトル帯域へのアクセスが利用不可能であるエリア中でサービスを与え得る。共有無線周波数スペクトル帯域上で通信する前に、送信装置は、共有無線周波数スペクトル帯域へのアクセスを獲得するためにリッスンビフォアトーク（ＬＢＴ：listen before talk）プロシージャを実行し得る。そのようなＬＢＴプロシージャは、共有無線周波数スペクトル帯域のチャネルが利用可能であるかどうかを決定するために、クリアチャネルアセスメント（ＣＣＡ）プロシージャ（または拡張ＣＣＡプロシージャ）を実行することを含み得る。共有無線周波数スペクトル帯域のチャネルが利用可能であると決定されたとき、チャネル予約信号（たとえば、チャネル使用ビーコン信号（ＣＵＢＳ：channel usage beacon signal））が、チャネルを予約するために送信され得る。チャネル予約信号は、共有無線周波数スペクトル帯域上で検出可能なエネルギーを与えることによって、共有無線周波数スペクトルを予約し得る。チャネル予約信号はまた、送信装置を識別するか、または送信装置と受信装置とを同期させるように働き（serve）得る。チャネルが利用可能でないと決定されたとき、そのチャネルのための（for）ＣＣＡプロシージャ（または拡張ＣＣＡプロシージャ）が、後で再び実行され得る。
【００３７】
[0045]ＵＥ１１５が共有無線周波数スペクトル帯域へのアクセスを求める競合に勝った後、ＵＥ１１５は、アップリンク上で基地局１０５と通信し得る。いくつかの例では、ＵＥ１１５は、アップリンクキャリアアグリゲーションモードまたはデュアル接続性モードでアップリンク上で通信し得る。ＵＥ１１５がまた、専用無線周波数スペクトル帯域における少なくとも１つのＵＬ  ＣＣと共有無線周波数スペクトル帯域における少なくとも１つのＵＬ  ＣＣとを使用して基地局１０５と通信しているとき、ＵＥ１１５は、ＵＣＩを送信するために、専用無線周波数スペクトル帯域におけるＵＬ  ＣＣおよび／または共有無線周波数スペクトル帯域におけるＵＬ  ＣＣを選択しなければならないことがある（may）。いくつかのシナリオでは、専用無線周波数スペクトル帯域におけるＵＬ  ＣＣは、共有無線周波数スペクトル帯域におけるＵＬ  ＣＣよりも信頼できることがあり、ＵＣＩ（たとえば、ＳＲ、ＡＣＫ／否定応答（ＮＡＫ）、周期チャネル状態情報（ＣＳＩ）、または非周期ＣＳＩのうちの１つまたは複数）を送信するために、専用無線周波数スペクトル帯域におけるＵＬ  ＣＣを選択するようにＵＥを構成すること、またはバイアスすることは有用であり得る。
【００３８】
[0046]図２は、本開示の様々な態様による、ＬＴＥ／ＬＴＥ−Ａが、専用無線周波数スペクトル帯域または共有無線周波数スペクトル帯域を使用して異なるシナリオの下で展開され得るワイヤレス通信システム２００を示す。より詳細には、図２は、ＬＴＥ／ＬＴＥ−Ａが共有無線周波数スペクトル帯域を使用して展開される、（共有ダウンリンクモードとも呼ばれる）補足ダウンリンクモードと、キャリアアグリゲーションモードと、スタンドアロンモードとの例を示している。ワイヤレス通信システム２００は、図１を参照しながら説明されたワイヤレス通信システム１００の部分の一例であり得る。その上、第１の基地局２０５および第２の基地局２０５−ａは、図１を参照しながら説明された基地局１０５のうちの１つまたは複数の態様の例であり得、第１のＵＥ２１５、第２のＵＥ２１５−ａ、第３のＵＥ２１５−ｂ、および第４のＵＥ２１５−ｃは、図１を参照しながら説明されたＵＥ１１５のうちの１つまたは複数の態様の例であり得る。
【００３９】
[0047]ワイヤレス通信システム２００における補足ダウンリンクモードの例では、第１の基地局２０５は、ダウンリンクチャネル２２０を使用して第１のＵＥ２１５にＯＦＤＭＡ波形を送信し得る。ダウンリンクチャネル２２０は、共有無線周波数スペクトル帯域における周波数Ｆ１に関連し得る。第１の基地局２０５は、第１の双方向リンク２２５を使用して第１のＵＥ２１５にＯＦＤＭＡ波形を送信し得、第１の双方向リンク２２５を使用して第１のＵＥ２１５からＳＣ−ＦＤＭＡ波形を受信し得る。第１の双方向リンク２２５は、専用無線周波数スペクトル帯域における周波数Ｆ４に関連し得る。共有無線周波数スペクトル帯域におけるダウンリンクチャネル２２０と専用無線周波数スペクトル帯域における第１の双方向リンク２２５とは同時に動作し得る。ダウンリンクチャネル２２０は第１の基地局２０５にダウンリンク容量オフロードを与え得る。いくつかの例では、ダウンリンクチャネル２２０は、（たとえば、１つのＵＥに宛てられた）ユニキャストサービスのために、または（たとえば、いくつかのＵＥに宛てられた）マルチキャストサービスのために使用され得る。このシナリオは、専用無線周波数スペクトルを使用し、トラフィックまたはシグナリング輻輳の一部を軽減する必要がある、任意のサービスプロバイダ（たとえば、モバイルネットワーク事業者（ＭＮＯ））に関して発生し得る。
【００４０】
[0048]ワイヤレス通信システム２００におけるキャリアアグリゲーションモードの一例では、第１の基地局２０５は、第２の双方向リンク２３０を使用して第２のＵＥ２１５−ａにＯＦＤＭＡ波形を送信し得、第２の双方向リンク２３０を使用して第２のＵＥ２１５−ａからＯＦＤＭＡ波形、ＳＣ−ＦＤＭＡ波形、またはリソースブロックインターリーブＦＤＭＡ波形を受信し得る。第２の双方向リンク２３０は、共有無線周波数スペクトル帯域における周波数Ｆ１に関連し得る。第１の基地局２０５はまた、第３の双方向リンク２３５を使用して第２のＵＥ２１５−ａにＯＦＤＭＡ波形を送信し得、第３の双方向リンク２３５を使用して第２のＵＥ２１５−ａからＳＣ−ＦＤＭＡ波形を受信し得る。第３の双方向リンク２３５は、専用無線周波数スペクトル帯域における周波数Ｆ２に関連し得る。第２の双方向リンク２３０は、第１の基地局２０５にダウンリンクおよびアップリンク容量オフロードを与え得る。上記で説明された補足ダウンリンクのように、このシナリオは、専用無線周波数スペクトルを使用し、トラフィックまたはシグナリング輻輳の一部を軽減する必要がある、任意のサービスプロバイダ（たとえば、ＭＮＯ）に関して発生し得る。
【００４１】
[0049]ワイヤレス通信システム２００におけるキャリアアグリゲーションモードの別の例では、第１の基地局２０５は、第４の双方向リンク２４０を使用して第３のＵＥ２１５−ｂにＯＦＤＭＡ波形を送信し得、第４の双方向リンク２４０を使用して第３のＵＥ２１５−ｂからＯＦＤＭＡ波形、ＳＣ−ＦＤＭＡ波形、またはリソースブロックインターリーブ波形を受信し得る。第４の双方向リンク２４０は、共有無線周波数スペクトル帯域における周波数Ｆ３に関連し得る。第１の基地局２０５はまた、第５の双方向リンク２４５を使用して第３のＵＥ２１５−ｂにＯＦＤＭＡ波形を送信し得、第５の双方向リンク２４５を使用して第３のＵＥ２１５−ｂからＳＣ−ＦＤＭＡ波形を受信し得る。第５の双方向リンク２４５は、専用無線周波数スペクトル帯域における周波数Ｆ２に関連し得る。第４の双方向リンク２４０は、第１の基地局２０５にダウンリンクおよびアップリンク容量オフロードを与え得る。この例および上記で与えられた例は説明の目的で提示され、容量オフロードのために、専用無線周波数スペクトル帯域におけるＬＴＥ／ＬＴＥ−Ａを組み合わせ、共有無線周波数スペクトル帯域を使用する他の同様の動作モードまたは展開シナリオがあり得る。
【００４２】
[0050]上記で説明されたように、共有無線周波数スペクトル帯域におけるＬＴＥ／ＬＴＥ−Ａを使用することによって提供される容量オフロードから恩恵を受け得る１つのタイプのサービスプロバイダは、専用無線周波数スペクトル帯域ＬＴＥ／ＬＴＥ−Ａへのアクセス権利を有する旧来のＭＮＯである。これらのサービスプロバイダの場合、動作例は、専用無線周波数スペクトル帯域上のＬＴＥ／ＬＴＥ−Ａ１次コンポーネントキャリア（ＰＣＣ、またはＰＣｅｌｌ）と共有無線周波数スペクトル帯域上の少なくとも１つの２次コンポーネントキャリア（ＳＣＣ、またはＳＣｅｌｌ）とを使用するブートストラップモード（たとえば、補足ダウンリンク、キャリアアグリゲーション）を含み得る。
【００４３】
[0051]キャリアアグリゲーションモードでは、データおよび制御は、たとえば、専用無線周波数スペクトル帯域において（たとえば、第１の双方向リンク２２５、第３の双方向リンク２３５、および第５の双方向リンク２４５を介して）通信され得るが、データは、たとえば、共有無線周波数スペクトル帯域において（たとえば、第２の双方向リンク２３０および第４の双方向リンク２４０を介して）通信され得る。共有無線周波数スペクトル帯域を使用するときにサポートされるキャリアアグリゲーション機構は、ハイブリッド周波数分割複信−時分割複信（ＦＤＤ−ＴＤＤ）キャリアアグリゲーションまたはコンポーネントキャリアにわたる異なる対称性を伴うＴＤＤ−ＴＤＤキャリアアグリゲーションに入り得る。
【００４４】
[0052]ワイヤレス通信システム２００におけるスタンドアロンモードの一例では、第２の基地局２０５−ａは、双方向リンク２５０を使用して第４のＵＥ２１５−ｃにＯＦＤＭＡ波形を送信し得、双方向リンク２５０を使用して第４のＵＥ２１５−ｃからＯＦＤＭＡ波形、ＳＣ−ＦＤＭＡ波形、またはリソースブロックインターリーブＦＤＭＡ波形を受信し得る。双方向リンク２５０は、共有無線周波数スペクトル帯域における周波数Ｆ３に関連し得る。スタンドアロンモードは、スタジアム内アクセス（たとえば、ユニキャスト、マルチキャスト）など、非旧来型ワイヤレスアクセスシナリオにおいて使用され得る。この動作モードのためのサービスプロバイダのタイプの一例は、専用無線周波数スペクトル帯域へのアクセスを有しない、スタジアム所有者、ケーブル会社、イベント主催者、ホテル、企業、または大企業であり得る。
【００４５】
[0053]いくつかの例では、図１または図２を参照しながら説明された基地局１０５、２０５、または２０５−ａのうちの１つ、あるいは図１または図２を参照しながら説明されたＵＥ１１５、２１５、２１５−ａ、２１５−ｂ、または２１５−ｃのうちの１つなどの送信装置は、共有無線周波数スペクトル帯域のチャネルへの（たとえば、共有無線周波数スペクトル帯域の物理チャネルへの）アクセスを獲得するためにゲーティング間隔を使用し得る。いくつかの例では、ゲーティング間隔は周期的であり得る。たとえば、周期的ゲーティング間隔は、ＬＴＥ／ＬＴＥ−Ａ無線間隔の少なくとも１つの境界と同期され得る。ゲーティング間隔は、欧州通信規格協会（ＥＴＳＩ：European Telecommunications Standards Institute）（ＥＮ３０１  ８９３）において指定されているＬＢＴプロトコルに基づくＬＢＴプロトコルなど、競合ベースプロトコルの適用を定義し得る。ＬＢＴプロトコルの適用を定義するゲーティング間隔を使用するとき、ゲーティング間隔は、送信装置が、クリアチャネルアセスメント（ＣＣＡ）プロシージャなどの競合プロシージャ（たとえば、ＬＢＴプロシージャ）をいつ実行する必要があるかを示し得る。ＣＣＡプロシージャの結果は、共有無線周波数スペクトル帯域のチャネルが（ＬＢＴ無線フレームとも呼ばれる）ゲーティング間隔のために利用可能であるのか使用中であるのかを送信装置に示し得る。チャネルが、対応するＬＢＴ無線フレームのために利用可能（たとえば、使用のために「クリア」）であることをＣＣＡプロシージャが示すとき、送信装置は、ＬＢＴ無線フレームの一部または全部中に共有無線周波数スペクトル帯域のチャネルを予約または使用し得る。チャネルが利用可能でないこと（たとえば、チャネルが別の送信装置によって使用中または予約済みであること）をＣＣＡプロシージャが示すとき、送信装置は、ＬＢＴ無線フレーム中にチャネルを使用することを妨げられ得る。
【００４６】
[0054]図３は、本開示の様々な態様による、共有無線周波数スペクトル帯域上でのワイヤレス通信３１０の一例３００を示す。いくつかの例では、ワイヤレス通信３１０は、１つまたは複数のアップリンクコンポーネントキャリアの送信を含み得、（１つまたは複数の）アップリンクコンポーネントキャリアは、たとえば、図２を参照しながら説明された補足ダウンリンクモード、キャリアアグリゲーションモード、またはスタンドアロンモード、図５を参照しながら説明されるキャリアアグリゲーションモード、および／または図６を参照されながら説明されるデュアル接続性モードに従って行われる送信の一部として、送信され得る。
【００４７】
[0055]いくつかの例では、ワイヤレス通信３１０のＬＢＴ無線フレーム３１５は、１０ミリ秒の持続時間を有し、いくつかのダウンリンク（Ｄ）サブフレーム３２０と、いくつかのアップリンク（Ｕ）サブフレーム３２５と、２つのタイプのスペシャルサブフレーム、Ｓサブフレーム３３０およびＳ’サブフレーム３３５とを含み得る。Ｓサブフレーム３３０は、ダウンリンクサブフレーム３２０とアップリンクサブフレーム３２５との間の遷移を与え得るが、Ｓ’サブフレーム３３５は、アップリンクサブフレーム３２５とダウンリンクサブフレーム３２０との間の遷移、いくつかの例では、ＬＢＴ無線フレーム間の遷移を与え得る。
【００４８】
[0056]Ｓ’サブフレーム３３５中に、ダウンリンククリアチャネルアセスメント（ＤＣＣＡ：downlink clear channel assessment）プロシージャ３４５が、ある時間期間の間、それの上でワイヤレス通信３１０が行われる共有無線周波数スペクトル帯域のチャネルを予約するために、図１または図２を参照しながら説明された基地局１０５、２０５、または２０５−ａのうちの１つまたは複数など、１つまたは複数の基地局によって実行され得る。基地局による成功したＤＣＣＡプロシージャ３４５に続いて、基地局は、基地局がチャネルを予約したという指示を他の基地局または装置（たとえば、ＵＥ、Ｗｉ−Ｆｉアクセスポイントなど）に与えるために、チャネル使用ビーコン信号（ＣＵＢＳ）（たとえば、ダウンリンクＣＵＢＳ（Ｄ−ＣＵＢＳ３５０））を送信し得る。いくつかの例では、Ｄ−ＣＵＢＳ３５０は、複数のインターリーブリソースブロックを使用して送信され得る。このようにしてＤ−ＣＵＢＳ３５０を送信することは、Ｄ−ＣＵＢＳ３５０が、共有無線周波数スペクトル帯域の利用可能な周波数帯域幅の少なくとも一定の割合を占有し、１つまたは複数の規制上の要件（たとえば、共有無線周波数スペクトル帯域上の送信が利用可能な周波数帯域幅の少なくとも８０％を占有するという要件）を満たすことを可能にし得る。Ｄ−ＣＵＢＳ３５０は、いくつかの例では、ＬＴＥ／ＬＴＥ−Ａ共通基準信号（ＣＲＳ：common reference signal）またはチャネル状態情報基準信号（ＣＳＩ−ＲＳ）の形態と同様の形態をとり得る。ＤＣＣＡプロシージャ３４５が失敗したとき、Ｄ−ＣＵＢＳ３５０は送信されないことがある。
【００４９】
[0057]Ｓ’サブフレーム３３５は、複数のＯＦＤＭシンボル期間（たとえば、１４個のＯＦＤＭシンボル期間）を含み得る。Ｓ’サブフレーム３３５の第１の部分は、短縮されたアップリンク（Ｕ）期間として、いくつかのＵＥによって使用され得る。Ｓ’サブフレーム３３５の第２の部分は、ＤＣＣＡプロシージャ３４５のために使用され得る。Ｓ’サブフレーム３３５の第３の部分は、Ｄ−ＣＵＢＳ３５０を送信するために、共有無線周波数スペクトル帯域のチャネルへのアクセスを求める競合に成功した１つまたは複数の基地局によって使用され得る。
【００５０】
[0058]Ｓサブフレーム３３０中に、アップリンクＣＣＡ（ＵＣＣＡ）プロシージャ３６５が、ある時間期間の間、それの上でワイヤレス通信３１０が行われるチャネルを予約するために、図１または図２を参照しながら上記で説明されたＵＥ１１５、２１５、２１５−ａ、２１５−ｂ、または２１５−ｃのうちの１つまたは複数など、１つまたは複数のＵＥによって実行され得る。ＵＥによる成功したＵＣＣＡプロシージャ３６５に続いて、ＵＥは、ＵＥがチャネルを予約したという指示を他のＵＥまたは装置（たとえば、基地局、Ｗｉ−Ｆｉアクセスポイントなど）に与えるために、アップリンクＣＵＢＳ（Ｕ−ＣＵＢＳ３７０）を送信し得る。いくつかの例では、Ｕ−ＣＵＢＳ３７０は、複数のインターリーブリソースブロックを使用して送信され得る。このようにしてＵ−ＣＵＢＳ３７０を送信することは、Ｕ−ＣＵＢＳ３７０が、共有無線周波数スペクトル帯域の利用可能な周波数帯域幅の少なくとも一定の割合を占有し、１つまたは複数の規制上の要件（たとえば、共有無線周波数スペクトル帯域上の送信が利用可能な周波数帯域幅の少なくとも８０％を占有するという要件）を満たすことを可能にし得る。Ｕ−ＣＵＢＳ３７０は、いくつかの例では、ＬＴＥ／ＬＴＥ−Ａ  ＣＲＳまたはＣＳＩ−ＲＳの形態と同様の形態をとり得る。ＵＣＣＡプロシージャ３６５が失敗したとき、Ｕ−ＣＵＢＳ３７０は送信されないことがある。
【００５１】
[0059]Ｓサブフレーム３３０は、複数のＯＦＤＭシンボル期間（たとえば、１４個のＯＦＤＭシンボル期間）を含み得る。Ｓサブフレーム３３０の第１の部分は、短縮されたダウンリンク（Ｄ）期間３５５として、いくつかの基地局によって使用され得る。Ｓサブフレーム３３０の第２の部分は、ガード期間（ＧＰ）３６０として使用され得る。Ｓサブフレーム３３０の第３の部分は、ＵＣＣＡプロシージャ３６５のために使用され得る。Ｓサブフレーム３３０の第４の部分は、アップリンクパイロットタイムスロット（ＵｐＰＴＳ：uplink pilot time slot）としてまたはＵ−ＣＵＢＳ３７０を送信するために、共有無線周波数スペクトル帯域のチャネルへのアクセスを求める競合に成功した１つまたは複数のＵＥによって使用され得る。
【００５２】
[0060]いくつかの例では、ＤＣＣＡプロシージャ３４５またはＵＣＣＡプロシージャ３６５は、単一のＣＣＡプロシージャの実行を含み得る。他の例では、ＤＣＣＡプロシージャ３４５またはＵＣＣＡプロシージャ３６５は、拡張ＣＣＡプロシージャの実行を含み得る。拡張ＣＣＡプロシージャは、ランダムな数のＣＣＡプロシージャを含み得、いくつかの例では、複数のＣＣＡプロシージャを含み得る。
【００５３】
[0061]図４は、本開示の様々な態様による、ＬＴＥ／ＬＴＥ−Ａが、専用無線周波数スペクトル帯域または共有無線周波数スペクトル帯域を使用して異なるシナリオの下で展開され得るワイヤレス通信システム４００を示す。ワイヤレス通信システム４００は、図１または図２を参照しながら説明されたワイヤレス通信システム１００または２００の部分の一例であり得る。その上、第１の基地局４０５および第２の基地局４０５−ａは、図１または図２を参照しながら説明された基地局１０５、２０５、または２０５−ａのうちの１つまたは複数の態様の例であり得、第１のＵＥ４１５および第２のＵＥ４１５−ａは、図１または図２を参照しながら説明されたＵＥ１１５、２１５、２１５−ａ、２１５−ｂ、または２１５−ｃのうちの１つまたは複数の態様の例であり得る。
【００５４】
[0062]ワイヤレス通信システム４００では、基地局４０５は、共有無線周波数スペクトル帯域へのアクセスを求める競合（contention for access）に勝ち、通信リンク４２５を介してＵＥ４１５と通信することを開始し得る。しかしながら、ＵＥとの通信は、ＵＥ４１５−ａが基地局４０５−ａと通信することに起因する干渉を経験し得る。基地局４０５が、基地局４０５−ａがダウンリンク上でＵＥ４１５−ａと通信している間に、共有無線周波数スペクトル帯域へのアクセスを求めて競合する（たとえば、ＤＣＣＡプロシージャを実行する）とき、基地局４０５は、基地局４０５−ａが基地局４０５のカバレージエリア４１０外で（outside）動作するので、共有無線周波数スペクトル帯域上の通信のエネルギーを検出しないことがある。同様に、ＵＥ４１５−ａが、基地局４０５がダウンリンク上でＵＥ４１５と通信している間に、共有無線周波数スペクトル帯域へのアクセスを求めて競合する（たとえば、ＵＣＣＡプロシージャを実行する）場合、ＵＥ４１５−ａは、基地局４０５がＵＥ４１５−ａのカバレージエリア外で動作するので、共有無線周波数スペクトル帯域上の通信のエネルギーを検出しないことがある。ＵＥ４１５も、基地局４０５−ａがダウンリンク上でＵＥ４１５−ａと通信している間に、共有無線周波数スペクトル帯域へのアクセスを求めて競合し（たとえば、ＵＣＣＡプロシージャを実行し）得、したがって、基地局４０５−ａがＵＥ４１５のカバレージエリア外で動作するので、共有無線周波数スペクトル帯域上の通信のエネルギーを検出しないことがある。したがって、シナリオは、通信リンク４２５上での通信が隠れノード干渉（すなわち、基地局４０５または４１５と同時に共有無線周波数スペクトル帯域へのアクセスを獲得することが可能である、ＵＥ４１５−ａなどのノードからの干渉）を経験するときに起こり得る。基地局４０５に対する隠れノードとして動作し得るＵＥ４１５−ａはまた、ＵＥ４１５が成功した（successful）ＵＣＣＡを実行するのを妨げ、それにより、ＵＥ４１５がアップリンク上で基地局４０５と通信する（たとえば、基地局４０５にＵＣＩを送信する）のを妨げ得る。
【００５５】
[0063]図５は、本開示の様々な態様による、ＬＴＥ／ＬＴＥ−Ａがキャリアアグリゲーションシナリオにおいて展開され得るワイヤレス通信システム５００を示す。ワイヤレス通信システム５００は、図１、図２、または図４を参照しながら説明されたワイヤレス通信システム１００、２００、または４００の部分の一例であり得る。その上、基地局５０５は、図１、図２、または図４を参照しながら説明された基地局１０５、２０５、２０５−ａ、４０５、または４０５−ａのうちの１つまたは複数の態様の一例であり得、ＵＥ５１５は、図１、図２、または図４を参照しながら説明されたＵＥ１１５、２１５、２１５−ａ、２１５−ｂ、２１５−ｃ、４１５、または４１５−ａのうちの１つまたは複数の態様の一例であり得る。
【００５６】
[0064]ＬＴＥ／ＬＴＥ−Ａ通信を使用してキャリアアグリゲーションモードで通信するとき、ＵＥ５１５は、最高５つのコンポーネントキャリア（ＣＣ）を使用して基地局５０５と通信し得る。ＣＣの各々は、最高（up to）２０ＭＨｚの帯域幅を有し得る（たとえば、ＵＥ５１５は１００ＭＨｚ帯域幅上で基地局５０５とコンポーネントし（component）得る）。ＣＣは、すべてＦＤＤモードで動作するか、すべてＴＤＤモードで動作するか、またはＦＤＤモードとＴＤＤモードとの混合で動作し得る。異なるＣＣが、同じまたは異なるＤＬ／ＵＬ構成を有し得る（およびスペシャルサブフレームが、異なるＴＤＤ  ＣＣについて異なって（differently）構成され得る）。拡張キャリアアグリゲーション（ｅＣＡ）モードで通信するとき、ＵＥ５１５は、最高３２個のＣＣを使用して基地局５０５と通信し得る。ＣＣのうちの１つは１次ＣＣに指定され得、残りのＣＣは２次ＣＣに指定され得る。いくつかの例では、１次ＣＣは、ＵＥ５１５のための共通探索空間とＰＵＣＣＨとを搬送し得る。他の例では、１次ＣＣおよび１つまたは複数の２次ＣＣは、（たとえば、負荷分散のために）それぞれＰＵＣＣＨを搬送し得る。いくつかの場合には、各ＰＵＣＣＨはＵＣＩを搬送し得る。各ＣＣは、ＤＬ  ＣＣ、ＵＬ  ＣＣ、またはセル（たとえば、ＤＬ  ＣＣおよび／またはＵＬ  ＣＣとして使用するために構成され得るＣＣ）として構成され得る。例として、図５は、第１のＣＣ５２０と、第２のＣＣ５２５と、第３のＣＣ５３０と、第４のＣＣ５３５と、第５のＣＣ５４０とを含む５つのＣＣ上でのＵＥ５１５と基地局５０５との間の通信を示している。第１のＣＣ５２０、第２のＣＣ５２５、第３のＣＣ５３０、第４のＣＣ５３５、および第５のＣＣ５４０の各々は、ＣＣがどのように割り振られるか、または構成されるかに応じて、専用無線周波数スペクトル帯域または共有無線周波数スペクトル帯域において動作し得る。
【００５７】
[0065]ＵＥ５１５が、図２を参照しながら説明されたように、共有無線周波数スペクトル帯域を使用する補足ダウンリンク動作モードでの動作のために構成されたとき、およびＵＥ５１５がキャリアアグリゲーションモードで動作しているとき、第１のＣＣ５２０、第２のＣＣ５２５、第３のＣＣ５３０、第４のＣＣ５３５、または第５のＣＣ５４０のうちの１つまたは複数は、専用無線周波数スペクトル帯域におけるＵＬ  ＣＣまたはＤＬ  ＣＣとして動作し得、第１のＣＣ５２０、第２のＣＣ５２５、第３のＣＣ５３０、第４のＣＣ５３５、または第５のＣＣ５４０のうちの１つまたは複数は、共有無線周波数スペクトル帯域におけるＤＬ  ＣＣとして動作し得る。
【００５８】
[0066]ＵＥ５１５が、図２を参照しながら説明されたように、共有無線周波数スペクトル帯域を使用するキャリアアグリゲーション動作モードでの動作のために構成されたとき、第１のＣＣ５２０、第２のＣＣ５２５、第３のＣＣ５３０、第４のＣＣ５３５、または第５のＣＣ５４０のうちの１つまたは複数は、専用無線周波数スペクトル帯域におけるＵＬ  ＣＣまたはＤＬ  ＣＣとして動作し得、第１のＣＣ５２０、第２のＣＣ５２５、第３のＣＣ５３０、第４のＣＣ５３５、または第５のＣＣ５４０のうちの１つまたは複数は、共有無線周波数スペクトル帯域におけるＤＬ  ＣＣまたはＵＬ  ＣＣとして動作し得る。いくつかの例では、ＤＬ  ＣＣのすべてが専用無線周波数スペクトル帯域において動作し得るか、またはＵＬ  ＣＣのすべてが共有無線周波数スペクトル帯域において動作し得るが、ＤＬ  ＣＣのすべておよびＵＬ  ＣＣのすべてが、共有無線周波数スペクトル帯域において動作するとは限らない（たとえば、少なくとも１つのＤＬ  ＣＣまたは少なくとも１つのＵＬ  ＣＣが専用無線周波数スペクトル帯域において動作する）。
【００５９】
[0067]ＵＥ５１５が、図２を参照しながら説明されたように、共有無線周波数スペクトル帯域を使用するスタンドアロン動作モードでの動作のために構成されたとき、およびＵＥ５１５がキャリアアグリゲーションモードで動作しているとき、第１のＣＣ５２０、第２のＣＣ５２５、第３のＣＣ５３０、第４のＣＣ５３５、および第５のＣＣ５４０の各々は、共有無線周波数スペクトル帯域において動作し得る。
【００６０】
[0068]図６は、本開示の様々な態様による、ＬＴＥ／ＬＴＥ−Ａがデュアル接続性シナリオ（たとえば、多地点協調（ＣｏＭＰ）シナリオ）において展開され得るワイヤレス通信システム６００を示す。ワイヤレス通信システム６００は、図１、図２、図４、または図５を参照しながら説明されたワイヤレス通信システム１００、２００、４００、または５００の部分の一例であり得る。その上、第１の基地局６０５および第２の基地局６０５−ａは、図１、図２、図４、または図５を参照しながら説明された基地局１０５、２０５、２０５−ａ、４０５、４０５−ａ、または５０５のうちの１つまたは複数の態様の例であり得、ＵＥ６１５は、図１、図２、図４、または図５を参照しながら説明されたＵＥ１１５、２１５、２１５−ａ、２１５−ｂ、２１５−ｃ、４１５、４１５−ａ、または５１５のうちの１つまたは複数の態様の一例であり得る。第１の基地局６０５および第２の基地局６０５−ａは、理想的なバックホールによって接続されることも接続されないこともある。第１の基地局６０５および第２の基地局６０５−ａが理想的なバックホールによって接続されないとき、（たとえば、限られたバックホール容量または無視できないバックホールレイテンシ（たとえば、数十ミリ秒）の結果として）基地局間に緩い（loose）協調があり得る。
【００６１】
[0069]ＬＴＥ／ＬＴＥ−Ａ通信を使用してデュアル接続性モードで通信するとき、ＵＥ６１５は、たとえば、５つまたはそれ以上のＣＣを使用して、第１の基地局６０５および第２の基地局６０５−ａなど、複数の基地局と通信し得る。ＣＣのうちの１つは１次ＣＣに指定され得、残りのＣＣは２次ＣＣに指定され得る。各ＣＣは、ＤＬ  ＣＣ、ＵＬ  ＣＣ、またはセル（たとえば、ＤＬ  ＣＣおよび／またはＵＬ  ＣＣとして使用するために構成され得るＣＣ）として構成され得る。例として、図５は、第１のＣＣ６２０と、第２のＣＣ６２５と、第３のＣＣ６３０とを含む、３つのＣＣ上でのＵＥ６１５と基地局６０５との間の通信を示している。いくつかの例では、（第１の基地局６０５と通信している）第１のＣＣ６２０および第２のＣＣ６２５は、デュアル接続性動作におけるＣＣの１次グループ６３５として構成され得、（第２の基地局５０５−ａと通信している）第３のＣＣ６３０は、デュアル接続性動作におけるＣＣの２次グループ６４０として構成され得る。第１のＣＣ６２０、第２のＣＣ６２５、および第３のＣＣ６３０は、たとえば、図５を参照しながら説明されたように、コンポーネントキャリアがどのようにキャリアアグリゲーション動作モードで使用され得るかと同様に、専用無線周波数スペクトル帯域または共有無線周波数スペクトル帯域を使用する様々な動作モードのために構成され得る。
【００６２】
[0070]いくつかの例では、第１のＰＵＣＣＨがＣＣの１次グループ６３５中のＣＣによって搬送され得、第２のＰＵＣＣＨがＣＣの２次グループ６４０中のＣＣによって搬送され得、したがって、ＵＣＩが、ＣＣの１次グループ６３５およびＣＣの２次グループ６４０の各々に別々に伝達され得る。いくつかの例では、ＰＵＣＣＨが、ＣＣの１次グループ６３５およびＣＣの２次グループ６４０の各々中のＣＣの各々によって搬送され得、いくつかの例では、各ＰＵＣＣＨがＵＣＩを搬送し得る。ＵＥ６１５はまた、ＣＣの１次グループ６３５の共通探索空間と、ＣＣの２次グループ６４０の共通探索空間とを監視し得る。半永続的スケジューリング（ＳＰＳ：semi-persistent scheduling）およびスケジューリング要求（ＳＲ）送信も、ＣＣの１次グループ６３５およびＣＣの２次グループ６４０の各々によってサポートされ得る。
【００６３】
[0071]ＡＣＫ／ＮＡＫ情報、ＳＲ、またはＣＳＩを含む、様々なタイプのＵＣＩがＵＬ  ＣＣ上で送信され得る。いくつかの例では、様々なタイプのＵＣＩは、異なる性能ターゲット（または要件）を有し得る。たとえば、ＡＣＫ／ＮＡＫ情報は、最も高い性能ターゲットを有し得（たとえば、ＮＡＫ−ＡＣＫエラーレートは、１０-3以下程度であり得）、ＳＲは、次に高い性能ターゲット、およびＣＳＩの性能ターゲットよりも高い性能ターゲットを有し得、ＣＳＩは、妥当な（reasonable）性能劣化を許容することが可能であり得る（たとえば、ＣＳＩは、４％のビット誤り率（ＢＥＲ）性能ターゲットに関連し得る）。概して、共有無線周波数スペクトル帯域上でのＵＣＩの送信は、図４を参照しながら説明されたように、隠れノード干渉の可能性により（because of the potential for）、専用無線周波数スペクトル帯域上でのＵＣＩの送信よりも信頼できない。
【００６４】
[0072]ＵＣＩがＰＵＳＣＨ上で送信される（すなわち、ＰＵＳＣＨにピギーバックされる）とき、効率的なＵＬ動作をも維持しながらＵＣＩ性能ターゲットが満たされることを保証することは困難であり得る。ＵＣＩ性能ターゲットが満たされることを保証するのを助けるために、ＰＵＳＣＨ上のＵＣＩのために割り振られるリソースの量は、控えめに（conservatively）割り振られ得る。１つには（In part）ＰＵＳＣＨ上のＵＣＩのためのリソースの保守的（conservative）割振りのために、ＰＵＳＣＨ上で送信されるＡＣＫ／ＮＡＫ情報は、現在、ＣＲＣによって保護されない。ＰＵＣＣＨ上で送信されるＡＣＫ／ＮＡＫ情報も、現在、ＣＲＣによって保護されない。しかしながら、ＰＵＣＣＨがｅＣＡ動作モード（eCA mode of operation）に関連する（たとえば、最高３２個のＣＣに関連する）とき、またはＰＵＣＣＨが共有無線周波数スペクトル帯域において送信されるＣＣに関連するとき、ＣＲＣによるＡＣＫ／ＮＡＫ情報の保護は有用であり得る。ＣＲＣによるＡＣＫ／ＮＡＫ情報の保護は、より良いＮＡＫ−ＡＣＫエラー管理を可能にすることができる（たとえば、１６ビットＣＲＣによるＡＣＫ／ＮＡＫ情報の保護は、ＮＡＫ−ＡＣＫエラーを約１０-3から１０-5に低減し得る）。
【００６５】
[0073]ＡＣＫ／ＮＡＫ情報がＰＵＣＣＨ上で搬送されるとき、ＣＲＣによるＡＣＫ／ＮＡＫ情報の保護は、様々なファクタを条件とし得る。たとえば、ＣＲＣによってＡＣＫ／ＮＡＫ情報を保護するという決定は、ＡＣＫ／ＮＡＫ情報が送信される（on which）ＰＵＣＣＨフォーマットに基づき得る（たとえば、ＰＵＣＣＨフォーマット３上で送信されるＡＣＫ／ＮＡＫ情報は、ＣＲＣによって保護されないことがあるが、ＰＵＣＣＨフォーマット４上で送信されるＡＣＫ／ＮＡＫ情報は、ＣＲＣによって保護され得る）。別の例として、ＣＲＣによってＡＣＫ／ＮＡＫ情報を保護するという決定は、ペイロードサイズに基づき得る。ＣＲＣによってＡＣＫ／ＮＡＫ情報を保護するという決定はまた、ＡＣＫ／ＮＡＫ情報が送信されるＰＵＣＣＨフォーマットと組み合わせたペイロードサイズに基づき得る。たとえば、ＰＵＣＣＨフォーマット３上で送信されるＡＣＫ／ＮＡＫ情報は、ＣＲＣによって保護されないことがあるが、ＰＵＣＣＨフォーマット４上で送信されるＡＣＫ／ＮＡＫ情報は、ペイロードサイズに応じて、ＣＲＣによって保護されることも保護されないこともある（たとえば、ペイロードサイズ≧ペイロードサイズしきい値であるとき、ＰＵＣＣＨフォーマット４上で送信されるＡＣＫ／ＮＡＫ情報はＣＲＣによって保護され得、ペイロードサイズ＜ペイロードサイズしきい値であるとき、ＰＵＣＣＨフォーマット４上で送信されるＡＣＫ／ＮＡＫ情報はＣＲＣによって保護されないことがある）。例として、ペイロードサイズしきい値は１０ビットであり得る。
【００６６】
[0074]ＡＣＫ／ＮＡＫ情報がＣＲＣによって保護されるべきであるかどうかを決定するために使用されるペイロードサイズは、（たとえば、ＵＣＩタイプにかかわらず）たとえば、ＰＵＣＣＨ上で送信されるＡＣＫ／ＮＡＫ、ＳＲ、およびＣＳＩ情報の任意の組合せに基づき得る。代替的に、ペイロードサイズはＵＣＩタイプ依存であり得る。後者の場合、および例として、ＣＲＣによってＡＣＫ／ＮＡＫ情報を保護するという決定は、異なるＵＣＩタイプについての異なるルールに基づき得る。たとえば、ＡＣＫ／ＮＡＫ／ＳＲ情報とＣＳＩ情報とが一緒に（jointly）コーディングされるとき、ＰＵＣＣＨフォーマット４上のＡＣＫ／ＮＡＫ情報の送信は、ＡＣＫ／ＮＡＫ／ＳＲペイロードサイズ≧第１のペイロードサイズしきい値であるときにＣＲＣによって保護され得、ＰＵＣＣＨフォーマット４上のＡＣＫ／ＮＡＫ情報の送信は、ＡＣＫ／ＮＡＫ／ＳＲペイロードサイズ＜第１のペイロードサイズしきい値であるときにＣＲＣによって保護されないことがある。いくつかの例では、第１のペイロードサイズしきい値は０ビットであり得る。ＡＣＫ／ＮＡＫ／ＳＲ情報とＣＳＩ情報とが別々に符号化されるとき、ＰＵＣＣＨフォーマット４上のＡＣＫ／ＮＡＫ情報の送信は、ＡＣＫ／ＮＡＫ／ＳＲペイロードサイズ≧第２のペイロードサイズしきい値であるときにＣＲＣによって保護され得、ＰＵＣＣＨフォーマット４上のＡＣＫ／ＮＡＫ情報の送信は、ＡＣＫ／ＮＡＫ／ＳＲペイロードサイズ＜第２のペイロードサイズしきい値であるときにＣＲＣによって保護されないことがある。いくつかの例では、第２のペイロードサイズしきい値は１０ビットであり得る。
【００６７】
[0075]別の例として、ＣＲＣによってＡＣＫ／ＮＡＫ情報を保護するという決定は、セルタイプに基づき得る。たとえば、ＡＣＫ／ＮＡＫ情報を搬送するＰＵＣＣＨが共有無線周波数スペクトル帯域におけるセル上で送信されるとき、ＡＣＫ／ＮＡＫ情報（またはＵＣＩ）はＣＲＣによって保護され得るが、ＡＣＫ／ＮＡＫ情報を搬送するＰＵＣＣＨが専用無線周波数スペクトル帯域におけるセル上で送信されるとき、ＡＣＫ／ＮＡＫ情報（またはＵＣＩ）はＣＲＣによって保護されないことがある（あるいは、ある（certain）ＰＵＣＣＨフォーマットの使用またはペイロードサイズしきい値を満たすペイロードサイズの存在など、いくつかの条件下ではＣＲＣによって保護され得る）。
【００６８】
[0076]いくつかの場合には、ＬＴＥ／ＬＴＥ−Ａ規格は、ＵＣＩが共有無線周波数スペクトル帯域におけるセル上で送信されるべきであることを示す（または示唆する（suggest））。たとえば、非周期ＣＳＩがセルのためのＵＬ許可中でトリガされたとき、ＬＴＥ／ＬＴＥ−Ａ規格は、セル上で送信されるＰＵＳＣＨがサブフレーム中のＵＣＩのすべてを搬送すべきであることを示す。しかしながら、セルが共有無線周波数スペクトル帯域にあるとき、セル上で送信されるＰＵＳＣＨは、図４を参照しながら説明されたように、隠れノード干渉を受け得る（may be subject to）。したがって、ＵＣＩを含むＰＵＳＣＨの送信は、専用無線周波数スペクトル帯域におけるセル上のＰＵＳＣＨ（およびＵＣＩ）の送信よりも信頼できないことがあり得る。共有無線周波数スペクトル帯域においてＵＣＩを送信することの疑わしい（questionable）信頼性に対処する１つの方法は、（たとえば、非周期ＣＳＩが共有無線周波数スペクトル帯域におけるセル上でトリガされたときでも）専用無線周波数スペクトル帯域におけるセル上ですべてのＵＣＩを送信することである。代替的に、ＣＳＩが、共有無線周波数スペクトル帯域におけるセル上のＰＵＳＣＨ上で送信され得、ＡＣＫ／ＮＡＫ／ＳＲまたは他の情報が、専用無線周波数スペクトル帯域におけるセル上で送信され（たとえば、ピギーバックされ）得る。
【００６９】
[0077]ＡＣＫ／ＮＡＫ情報がｅＣＡモードでの動作中に送信されるとき、ＡＣＫ／ＮＡＫ情報は、前に説明されたようにＰＵＣＣＨ上で、または（たとえば、前に説明されたように）ＰＵＳＣＨ上で搬送され得る。
【００７０】
[0078]ＡＣＫ／ＮＡＫ／ＳＲ情報とＣＳＩ情報とは、ＰＵＣＣＨ上で送信されるとき、一緒にコーディングされるかまたは別々にコーディングされ得るが、ＡＣＫ／ＮＡＫ情報と、ＣＱＩ／ＰＭＩ情報と、ＲＩ／ペイロードトランザクション識別子（ＰＴＩ：payload transaction identifier）情報とは、別々にコーディングされ、ＰＵＳＣＨ上にマッピングされる。ＡＣＫ／ＮＡＫ情報と、ＣＱＩ／ＰＭＩ情報と、ＲＩ／ＰＴＩ情報とがＰＵＳＣＨ上で送信され、別々にコーディングされるとき、ＣＲＣによってＡＣＫ／ＮＡＫ情報と、ＣＱＩ／ＰＭＩ情報と、ＲＩ／ＰＴＩ情報とを保護するという別々の決定が行われ得る。たとえば、ＣＲＣによってＡＣＫ／ＮＡＫ情報を保護するという決定は、（たとえば、ＰＵＣＣＨ上で送信されるＡＣＫ／ＮＡＫ情報をＣＲＣによって保護するための、説明された決定プロセスと同様に）決定されたＡＣＫ／ＮＡＫペイロードサイズに少なくとも部分的に基づき得る。同じまたは異なるペイロードサイズしきい値が、ＰＵＣＣＨ上で送信されるＡＣＫ／ＮＡＫ情報を保護すべきかどうかを決定するために、およびＰＵＳＣＨ上で送信されるＡＣＫ／ＮＡＫ情報を保護すべきかどうかを決定するために使用され得る。ＰＵＣＣＨ上で送信されるＵＣＩが異なるＵＣＩタイプについて一緒にコーディングされるとき（およびＰＵＳＣＨ上で送信されるＵＣＩが別々にコーディングされるとき）、異なるペイロードサイズしきい値が有用であり得る。いくつかの例では、ＡＣＫ／ＮＡＫペイロードサイズは、ＲＲＣ構成、動的指示（dynamic indication）、トランスポートブロックの検出された数、またはそれらの組合せに少なくとも部分的に基づいて決定され得る。いくつかの例では、ＰＵＳＣＨ上で送信されるＡＣＫ／ＮＡＫ情報を保護するために使用されるＣＲＣは、１６ビットの長さを有し得る。
【００７１】
[0079]いくつかの例では、ＰＵＳＣＨ上で送信されるときの、ＣＲＣによってＣＱＩ／ＰＭＩ情報を保護するという決定は、ＣＱＩ／ＰＭＩペイロードサイズに基づき得る。たとえば、ＣＱＩ／ＰＭＩペイロードサイズが１１ビットよりも大きいとき、ＣＱＩ／ＰＭＩ情報はＣＲＣによって保護され得、ＣＱＩ／ＰＭＩペイロードサイズが１１ビットよりも小さいかまたはそれに等しいとき、ＣＱＩ／ＰＭＩ情報はＣＲＣによって保護されないことがある。いくつかの例では、ＰＵＳＣＨ上で送信されるＣＱＩ／ＰＭＩ情報を保護するために使用されるＣＲＣは、８ビットの長さを有し得る。
【００７２】
[0080]いくつかの例では、ＰＵＣＣＨ上で送信されるときの、ＣＲＣによってＲＩ／ＰＴＩ情報を保護するという決定は、ＲＩ／ＰＴＩペイロードサイズ、またはＲＩ／ＰＴＩ情報が報告される（for which）ＣＣの数に基づき得る。たとえば、ＲＩ／ＰＴＩペイロードサイズが１１ビットよりも大きいとき、ＲＩ／ＰＴＩ情報はＣＲＣによって保護され得、ＲＩ／ＰＴＩペイロードサイズが１１ビットよりも小さいかまたはそれに等しいとき、ＲＩ／ＰＴＩ情報はＣＲＣによって保護されないことがある。代替的に、ＲＩ／ＰＴＩ情報が２つまたはそれ以上のＣＣのために報告されるとき、ＲＩ／ＰＴＩ情報はＣＲＣによって保護され得、ＲＩ／ＰＴＩ情報が１つのＣＣのために報告されるとき、ＲＩ／ＰＴＩ情報はＣＲＣによって保護されないことがある。いくつかの例では、ＰＵＳＣＨ上で送信されるＲＩ／ＰＴＩ情報を保護するために使用されるＣＲＣは、８ビットの長さを有し得る。
【００７３】
[0081]図７は、本開示の様々な態様による、制御およびデータチャネル上のＵＣＩについてのＣＲＣを送信するように構成されたワイヤレスデバイス７００のブロック図を示す。ワイヤレスデバイス７００は、図１、図２、図４、図５、または図６を参照しながら説明されたＵＥ１１５、２１５、２１５−ａ、２１５−ｂ、２１５−ｃ、４１５、４１５−ａ、５１５、または６１５の態様の一例であり得る。ワイヤレスデバイス７００は、受信機７０５、ＣＲＣマネージャ７１０、または送信機７１５を含み得る。ワイヤレスデバイス７００はプロセッサをも含み得る。これらの構成要素の各々は互いと通信していることがある。
【００７４】
[0082]受信機７０５は、パケット、ユーザデータ、または様々な情報チャネルに関連する制御情報（たとえば、制御チャネル、データチャネル、および制御およびデータチャネル上のＵＣＩについてのＣＲＣに関連する情報など）などの情報を受信し得る。情報は、ＣＲＣマネージャ７１０に、およびワイヤレスデバイス７００の他の構成要素に受け渡され得る。
【００７５】
[0083]ＣＲＣマネージャ７１０は、ＰＣｅｌｌと、いくつかの態様では、ＰＵＣＣＨ対応ＳＣｅｌｌとを含み得るＣＡ構成のＣＣのためのＵＣＩを識別し、ＵＣＩ特性またはアップリンク制御チャネルフォーマットに少なくとも部分的に基づいて、ＵＣＩについてのＣＲＣ情報を含めることを決定し、ＵＣＩとＣＲＣ情報とを含むアップリンクチャネルを送信し得る。
【００７６】
[0084]送信機７１５は、ワイヤレスデバイス７００の他の構成要素から受信された信号を送信し得る。いくつかの例では、送信機７１５は、トランシーバモジュールにおいて受信機７０５とコロケートされ得る。送信機７１５は単一のアンテナを含み得るか、またはそれは複数のアンテナを含み得る。
【００７７】
[0085]図８は、本開示の様々な態様による、制御およびデータチャネル上のＵＣＩについてのＣＲＣを送信するためのワイヤレスデバイス８００のブロック図を示す。ワイヤレスデバイス８００は、図１、図２、図４、図５、または図６を参照しながら説明されたＵＥ１１５、２１５、２１５−ａ、２１５−ｂ、２１５−ｃ、４１５、４１５−ａ、５１５、または６１５の態様、あるいは図７を参照しながら説明されたワイヤレスデバイス７００の態様の一例であり得る。ワイヤレスデバイス８００は、受信機７０５−ａ、ＣＲＣマネージャ７１０−ａ、または送信機７１５−ａを含み得る。ワイヤレスデバイス８００はプロセッサをも含み得る。これらの構成要素の各々は互いと通信していることがある。ＣＲＣマネージャ７１０−ａはまた、ＵＣＩ識別モジュール８０５と、ＣＲＣ決定モジュール８１０と、アップリンクチャネル送信モジュール８１５とを含み得る。
【００７８】
[0086]受信機７０５−ａは、ＣＲＣマネージャ７１０−ａに、およびワイヤレスデバイス８００の他の構成要素に受け渡され得る情報を受信し得る。ＣＲＣマネージャ７１０−ａは、図７を参照しながら説明された動作を実行し得る。送信機７１５−ａは、ワイヤレスデバイス８００の他の構成要素から受信された信号を送信し得る。
【００７９】
[0087]ＵＣＩ識別モジュール８０５は、たとえば、図５または図６を参照しながら説明されたように、ＰＣｅｌｌと、いくつかの態様では、ＰＵＣＣＨ対応ＳＣｅｌｌとを含み得るＣＡ構成のＣＣのためのＵＣＩを識別し得る。いくつかの例では、ＣＡ構成のＣＣのためのＵＣＩを識別することは、ＣＡ構成の複数のＣＣのためのＵＣＩを識別することを含み得、ここにおいて、ＣＲＣ情報を含めるという決定が、複数中のＣＣの数量に少なくとも部分的に基づき得る。いくつかの例では、ＵＣＩ特性はＵＣＩタイプを含み得る。いくつかの例では、ＵＣＩは複数のＵＣＩタイプを含み得る。
【００８０】
[0088]ＣＲＣ決定モジュール８１０は、たとえば、図５または図６を参照しながら説明されたように、ＵＣＩ特性またはアップリンク制御チャネルフォーマットに少なくとも部分的に基づいて、ＵＣＩについてのＣＲＣ情報を含めることを決定し得る。いくつかの例では、ＣＲＣ情報を含めるという決定は、複数のうちの各ＵＣＩタイプについてＣＲＣ情報を含めるべきかどうかを決定することを含み得る。いくつかの例では、ＣＲＣ情報は、ＵＣＩタイプに少なくとも部分的に基づき得る数ビットを含み得る。
【００８１】
[0089]アップリンクチャネル送信モジュール８１５は、たとえば、図５または図６を参照しながら説明されたように、ＵＣＩとＣＲＣ情報とを含むアップリンクチャネルを送信し得る。いくつかの例では、しきい値は、アップリンクチャネルがＰＵＣＣＨを含むのか、ＰＵＳＣＨを含むのかに少なくとも部分的に基づき得る。いくつかの例では、アップリンクチャネルは、ＰＣｅｌｌ上のＰＵＣＣＨまたはＰＵＳＣＨを含み得る。いくつかの例では、アップリンクチャネルは、ＰＵＣＣＨ対応ＳＣｅｌｌ上のＰＵＣＣＨまたはＰＵＳＣＨを含み得る。いくつかの例では、ＣＡ構成は６つ以上のＣＣを含み得る。
【００８２】
[0090]図９は、本開示の様々な態様による、ワイヤレスデバイス７００またはワイヤレスデバイス８００の構成要素（component）であり得るＣＲＣマネージャ７１０−ｂのブロック図９００を示す。ＣＲＣマネージャ７１０−ｂは、図７または図８を参照しながら説明されたＣＲＣマネージャ７１０の態様の一例であり得る。ＣＲＣマネージャ７１０−ｂは、ＵＣＩ識別モジュール８０５−ａと、ＣＲＣ決定モジュール８１０−ａと、アップリンクチャネル送信モジュール８１５−ａとを含み得る。これらのモジュールの各々は、図８を参照しながら説明された機能を実行し得る。ＣＲＣマネージャ７１０−ｂはまた、スペクトル決定モジュール９０５と、ＵＣＩ特性モジュール９１０と、ＵＣＩ符号化モジュール９１５とを含み得る。
【００８３】
[0091]スペクトル決定モジュール９０５は、ＣＣが無認可スペクトルの周波数リソースを含むと決定し得る。ＵＣＩについてのＣＲＣ情報を含めるという決定は、たとえば、図５または図６を参照しながら説明されたように、キャリアが無認可スペクトルの周波数リソースを含むという決定に少なくとも部分的に基づき得る。
【００８４】
[0092]ＵＣＩ特性モジュール９１０は、たとえば、図５または図６を参照しながら説明されたように、ＵＣＩ特性がＵＣＩのペイロードサイズを含み得るように構成され得る。ＵＣＩ特性モジュール９１０はまた、ＵＣＩのペイロードサイズを識別し得る。ＣＲＣ情報を含めるという決定は、ペイロードサイズがしきい値（たとえば、ペイロードサイズしきい値）を超えることに少なくとも部分的に基づき得る。いくつかの例では、ＵＣＩのペイロードサイズは、ＲＲＣ構成、動的シグナリング、またはトランスポートブロックの数、またはそれらの任意の組合せのうちの少なくとも１つに少なくとも部分的に基づいて識別され得る。いくつかの例では、複数のＵＣＩタイプは、ＡＣＫ、ＮＡＫ、ＣＱＩ、ＰＭＩ、ＲＩ、ＰＴＩ、またはそれらの任意の組合せのうちの少なくとも１つを含み得る。
【００８５】
[0093]ＵＣＩ符号化モジュール９１５は、ＵＣＩのペイロードのためのコーディング方式を選択し得る。ＣＲＣ情報を含めるという決定は、たとえば、図５または図６を参照しながら説明されたように、コーディング方式に少なくとも部分的に基づき得る。
【００８６】
[0094]図１０は、本開示の様々な態様による、制御およびデータチャネル上のＵＣＩについてのＣＲＣを送信するように構成されたＵＥ１１５を含むシステム１０００の図を示す。システム１０００は、図１、図２、図４、図５、または図６を参照しながら説明されたＵＥ１１５、２１５、２１５−ａ、２１５−ｂ、２１５−ｃ、４１５、４１５−ａ、５１５、または６１５の態様、あるいは図７、図８、または図９を参照しながら説明されたワイヤレスデバイス７００またはワイヤレスデバイス８００の態様の一例であり得る、ＵＥ１０１５を含み得る。ＵＥ１０１５は、図７、図８、または図９を参照しながら説明されたＣＲＣマネージャ７１０の一例であり得る、ＣＲＣマネージャ１０１０を含み得る。ＵＥ１０１５は、通信を送信するための構成要素と通信を受信するための構成要素とを含む、双方向音声およびデータ通信のための構成要素をも含み得る。たとえば、ＵＥ１０１５は、ＵＥ１０１５−ａまたは基地局１００５と双方向に通信し得る。
【００８７】
[0095]ＵＥ１０１５は、プロセッサ１０２５と、（ソフトウェア（ＳＷ）を含む）１０２０メモリ１０３０と、トランシーバ１０３５と、１つまたは複数のアンテナ１０４０とをも含み得、それらの各々は、（たとえば、バス１０４５を介して）直接または間接的に互いと通信し得る。トランシーバ１０３５は、上記で説明されたように、（１つまたは複数の）アンテナ１０４０あるいはワイヤードリンクまたはワイヤレスリンクを介して、１つまたは複数のネットワークと双方向に通信し得る。たとえば、トランシーバ１０３５は、基地局１０５または別のＵＥ１１５と双方向に通信し得る。トランシーバ１０３５は、パケットを変調し、変調されたパケットを送信のために（１つまたは複数の）アンテナ１０４０に与え、（１つまたは複数の）アンテナ１０４０から受信されたパケットを復調するためのモデムを含み得る。ＵＥ１０１５は、単一のアンテナ１０４０を含み得るが、ＵＥ１０１５はまた、複数のワイヤレス送信をコンカレントに送信または受信することが可能な複数のアンテナ１０４０を有し得る。
【００８８】
[0096]メモリ１０３０は、ランダムアクセスメモリ（ＲＡＭ）および読取り専用メモリ（ＲＯＭ）を含み得る。メモリ１０３０は、実行されたとき、プロセッサ１０２５に本明細書で説明される様々な機能（たとえば、制御およびデータチャネル上のＵＣＩについてのＣＲＣの送信など）を実行させる命令を含むコンピュータ可読、コンピュータ実行可能ソフトウェア／ファームウェアコード１０２０を記憶し得る。代替的に、ソフトウェア／ファームウェアコード１０２０は、プロセッサ１０２５によって直接的に実行可能でないことがあるが、（たとえば、コンパイルされ実行されたとき）コンピュータに本明細書で説明される機能を実行させ得る。プロセッサ１０２５は、インテリジェントハードウェアデバイス、（たとえば、中央処理ユニット（ＣＰＵ）、マイクロコントローラ、特定用途向け集積回路（ＡＳＩＣ）など）を含み得る。
【００８９】
[0097]ＵＥ１０１５、ワイヤレスデバイス７００、ワイヤレスデバイス８００、またはＣＲＣマネージャ７１０の構成要素は、適用可能な機能の一部または全部をハードウェアで実行するように適応された少なくとも１つのＡＳＩＣを用いて、個々にまたはまとめて実装され得る。代替的に、それらの機能は、１つまたは複数の他の処理ユニット（またはコア）によって、少なくとも１つのＩＣ上で実行され得る。他の例では、当技術分野で知られている任意の様式でプログラムされ得る、他のタイプの集積回路（たとえば、ストラクチャード／プラットフォームＡＳＩＣ、フィールドプログラマブルゲートアレイ（ＦＰＧＡ）、または別のセミカスタムＩＣ）が使用され得る。各ユニットの機能はまた、全体的または部分的に、１つまたは複数の汎用または特定用途向けプロセッサによって実行されるようにフォーマットされた、メモリに組み込まれた命令を用いて実装され得る。
【００９０】
[0098]図１１は、本開示の様々な態様による、制御およびデータチャネル上のＵＣＩについてのＣＲＣを送信するための方法１１００を示すフローチャートを示す。方法１１００の動作は、図１、図２、図４、図５、図６、または図１０を参照しながら説明されたＵＥ１１５、２１５、２１５−ａ、２１５−ｂ、２１５−ｃ、４１５、４１５−ａ、５１５、６１５、または１０１５、あるいは図７、図８、または図９を参照しながら説明されたワイヤレスデバイス７００または８００またはそれの構成要素によって実装され得る。たとえば、方法１１００の動作は、図７、図８、図９、または図１０を参照しながら説明されたように、ＣＲＣマネージャ７１０によって実行され得る。いくつかの例では、ＵＥは、以下で説明される機能を実行するようにＵＥの機能要素を制御するためのコードのセットを実行し得る。追加または代替として、ＵＥは、専用ハードウェアを使用して、以下で説明される機能態様を実行し得る。
【００９１】
[0099]ブロック１１０５において、ＵＥ１１５は、たとえば、図５または図６を参照しながら説明されたように、ＣＡ構成のＣＣのためのＵＣＩを識別し得る。いくつかの場合には、ＣＡ構成は、ＰＣｅｌｌおよび／またはＰＵＣＣＨ対応ＳＣｅｌｌをさらに含み得る。いくつかの例では、ブロック１１０５の動作は、図８を参照しながら説明されたように、ＵＣＩ識別モジュール８０５によって実行され得る。
【００９２】
[0100]ブロック１１１０において、ＵＥ１１５は、たとえば、図５または図６を参照しながら説明されたように、ＵＣＩ特性またはアップリンク制御チャネルフォーマットに少なくとも部分的に基づいて、ＵＣＩについてのＣＲＣ情報を含めることを決定し得る。いくつかの例では、ブロック１１１０の動作は、図８を参照しながら説明されたように、ＣＲＣ決定モジュール８１０によって実行され得る。
【００９３】
[0101]ブロック１１１５において、ＵＥ１１５は、たとえば、図５または図６を参照しながら説明されたように、ＵＣＩとＣＲＣ情報とを含むアップリンクチャネルを送信し得る。いくつかの例では、ブロック１１１５の動作は、図８を参照しながら説明されたように、アップリンクチャネル送信モジュール８１５によって実行され得る。
【００９４】
[0102]図１２は、本開示の様々な態様による、制御およびデータチャネル上のＵＣＩについてのＣＲＣを送信するための方法１２００を示すフローチャートを示す。方法１２００の動作は、図１、図２、図４、図５、図６、または図１０を参照しながら説明されたＵＥ１１５、２１５、２１５−ａ、２１５−ｂ、２１５−ｃ、４１５、４１５−ａ、５１５、６１５、または１０１５、あるいは図７、図８、または図９を参照しながら説明されたワイヤレスデバイス７００または８００またはそれの構成要素によって実装され得る。たとえば、方法１２００の動作は、図７、図８、図９、または図１０を参照しながら説明されたように、ＣＲＣマネージャ７１０によって実行され得る。いくつかの例では、ＵＥは、以下で説明される機能を実行するようにＵＥの機能要素を制御するためのコードのセットを実行し得る。追加または代替として、ＵＥは、専用ハードウェアを使用して、以下で説明される機能態様を実行し得る。方法１２００はまた、図１１の方法１１００の態様を組み込み得る。
【００９５】
[0103]ブロック１２０５において、ＵＥ１１５は、たとえば、図５または図６を参照しながら説明されたように、ＣＡのＣＣのためのＵＣＩを識別し得る。いくつかの例では、ブロック１２０５の動作は、図８を参照しながら説明されたように、ＵＣＩ識別モジュール８０５によって実行され得る。
【００９６】
[0104]ブロック１２１０において、ＵＥ１１５は、たとえば、図５または図６を参照しながら説明されたように、ＵＣＩ特性またはアップリンク制御チャネルフォーマットに少なくとも部分的に基づいて、ＵＣＩについてのＣＲＣ情報を含めることを決定し得る。いくつかの例では、ブロック１２１０の動作は、図８を参照しながら説明されたように、ＣＲＣ決定モジュール８１０によって実行され得る。
【００９７】
[0105]ブロック１２１５において、ＵＥ１１５は、たとえば、図５または図６を参照しながら説明されたように、ＵＣＩとＣＲＣ情報とを含むアップリンクチャネルを送信し得る。いくつかの例では、ブロック１２１５の動作は、図８を参照しながら説明されたように、アップリンクチャネル送信モジュール８１５によって実行され得る。
【００９８】
[0106]ブロック１２２０において、ＵＥ１１５は、ＣＣが無認可スペクトルの周波数リソースを含むと決定し得る。ＵＣＩについてのＣＲＣ情報を含めるという決定は、たとえば、図５または図６を参照しながら説明されたように、キャリアが無認可スペクトルの周波数リソースを含むという決定に少なくとも部分的に基づき得る。いくつかの例では、ブロック１２２０の動作は、図９を参照しながら説明されたように、スペクトル決定モジュール９０５によって実行され得る。
【００９９】
[0107]図１３は、本開示の様々な態様による、制御およびデータチャネル上のＵＣＩについてのＣＲＣを送信するための方法１３００を示すフローチャートを示す。方法１３００の動作は、図１、図２、図４、図５、図６、または図１０を参照しながら説明されたＵＥ１１５、２１５、２１５−ａ、２１５−ｂ、２１５−ｃ、４１５、４１５−ａ、５１５、６１５、または１０１５、あるいは図７、図８、または図９を参照しながら説明されたワイヤレスデバイス７００または８００またはそれの構成要素によって実装され得る。たとえば、方法１３００の動作は、図７、図８、図９、または図１０を参照しながら説明されたように、ＣＲＣマネージャ７１０によって実行され得る。いくつかの例では、ＵＥは、以下で説明される機能を実行するようにＵＥの機能要素を制御するためのコードのセットを実行し得る。追加または代替として、ＵＥは、専用ハードウェアを使用して、以下で説明される機能態様を実行し得る。方法１３００はまた、図１１〜図１２の方法１１００、および１２００の態様を組み込み得る。
【０１００】
[0108]ブロック１３０５において、ＵＥ１１５は、たとえば、図５または図６を参照しながら説明されたように、ＣＡのＣＣのためのＵＣＩを識別し得る。いくつかの例では、ブロック１３０５の動作は、図８を参照しながら説明されたように、ＵＣＩ識別モジュール８０５によって実行され得る。
【０１０１】
[0109]ブロック１３１０において、ＵＥ１１５は、たとえば、図５または図６を参照しながら説明されたように、ＵＣＩ特性またはアップリンク制御チャネルフォーマットに少なくとも部分的に基づいて、ＵＣＩについてのＣＲＣ情報を含めることを決定し得る。いくつかの場合には、ＵＣＩ特性はＵＣＩのペイロードサイズを含み得る。いくつかの例では、ブロック１３１０の動作は、図８を参照しながら説明されたように、ＣＲＣ決定モジュール８１０によって実行され得る。
【０１０２】
[0110]ブロック１３１５において、ＵＥ１１５は、たとえば、図５または図６を参照しながら説明されたように、ＵＣＩとＣＲＣ情報とを含むアップリンクチャネルを送信し得る。いくつかの例では、ブロック１３１５の動作は、図８を参照しながら説明されたように、アップリンクチャネル送信モジュール８１５によって実行され得る。
【０１０３】
[0111]ブロック１３２０において、ＵＥ１１５はＵＣＩのペイロードサイズを識別し得る。ＣＲＣ情報を含めるという決定は、図５または図６を参照しながら説明されたように、ペイロードサイズがしきい値（たとえば、ペイロードサイズしきい値）を超えることに少なくとも部分的に基づき得る。いくつかの例では、ブロック１３２０の動作は、図９を参照しながら説明されたように、ＵＣＩ特性モジュール９１０によって実行され得る。
【０１０４】
[0112]図１４は、本開示の様々な態様による、制御およびデータチャネル上のＵＣＩについてのＣＲＣを送信するための方法１４００を示すフローチャートを示す。方法１４００の動作は、図１、図２、図４、図５、図６、または図１０を参照しながら説明されたＵＥ１１５、２１５、２１５−ａ、２１５−ｂ、２１５−ｃ、４１５、４１５−ａ、５１５、６１５、または１０１５、あるいは図７、図８、または図９を参照しながら説明されたワイヤレスデバイス７００または８００またはそれの構成要素によって実装され得る。たとえば、方法１４００の動作は、図７、図８、図９、または図１０を参照しながら説明されたように、ＣＲＣマネージャ７１０によって実行され得る。いくつかの例では、ＵＥは、以下で説明される機能を実行するようにＵＥの機能要素を制御するためのコードのセットを実行し得る。追加または代替として、ＵＥは、専用ハードウェアを使用して、以下で説明される機能態様を実行し得る。方法１４００はまた、図１１〜図１３の方法１１００、１２００、および１３００の態様を組み込み得る。
【０１０５】
[0113]ブロック１４０５において、ＵＥ１１５は、たとえば、図５または図６を参照しながら説明されたように、ＣＡ構成のＣＣのためのＵＣＩを識別し得る。いくつかの例では、ブロック１４０５の動作は、図８を参照しながら説明されたように、ＵＣＩ識別モジュール８０５によって実行され得る。
【０１０６】
[0114]ブロック１４１０において、ＵＥ１１５は、たとえば、図５または図６を参照しながら説明されたように、ＵＣＩ特性またはアップリンク制御チャネルフォーマットに少なくとも部分的に基づいて、ＵＣＩについてのＣＲＣ情報を含めることを決定し得る。いくつかの場合には、ＵＣＩ特性はＵＣＩのペイロードサイズを含み得る。いくつかの例では、ブロック１４１０の動作は、図８を参照しながら説明されたように、ＣＲＣ決定モジュール８１０によって実行され得る。
【０１０７】
[0115]ブロック１４１５において、ＵＥ１１５は、たとえば、図５または図６を参照しながら説明されたように、ＵＣＩとＣＲＣ情報とを含むアップリンクチャネルを送信し得る。いくつかの例では、ブロック１４１５の動作は、図８を参照しながら説明されたように、アップリンクチャネル送信モジュール８１５によって実行され得る。
【０１０８】
[0116]ブロック１４２０において、ＵＥ１１５は、ＵＣＩのペイロードのためのコーディング方式を選択し得る。ＣＲＣ情報を含めるという決定は、たとえば、図５または図６を参照しながら説明されたように、コーディング方式に少なくとも部分的に基づき得る。いくつかの例では、ブロック１４２０の動作は、図９を参照しながら説明されたように、ＵＣＩ符号化モジュール９１５によって実行され得る。
【０１０９】
[0117]したがって、方法１１００、１２００、１３００、および１４００は、制御およびデータチャネル上のＵＣＩについてのＣＲＣを送信することを与え得る。方法１１００、１２００、１３００、および１４００は可能な実装形態について説明していること、ならびに動作およびステップは、他の実装形態が可能であるように、並べ替えられるかまたは場合によっては変更され得ることに留意されたい。いくつかの例では、方法１１００、１２００、１３００、および１４００のうちの２つまたはそれ以上からの態様が組み合わせられ得る。
【０１１０】
[0118]本明細書の説明は、例を与えるものであり、特許請求の範囲に記載される範囲、適用可能性、または例を限定するものではない。本開示の範囲から逸脱することなく、説明される要素の機能および構成において変更が行われ得る。様々な例は、適宜に様々なプロシージャまたは構成要素を省略、置換、または追加し得る。また、いくつかの例に関して説明される特徴は、他の例において組み合わせられ得る。
【０１１１】
[0119]本明細書で説明された技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムなど、様々なワイヤレス通信システムのために使用され得る。「システム」および「ネットワーク」という用語は、しばしば互換的に使用される。符号分割多元接続（ＣＤＭＡ）システムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標）：Wideband CDMA）およびＣＤＭＡの他の変形態を含む。時分割多元接続（ＴＤＭＡ）システムは、モバイル通信用グローバルシステム（ＧＳＭ（登録商標））などの無線技術を実装し得る。直交周波数分割多元接続（ＯＦＤＭＡ）システムは、ウルトラモバイルブロードバンド（ＵＭＢ：Ultra Mobile Broadband）、発展型ＵＴＲＡ（Ｅ−ＵＴＲＡ：Evolved UTRA）、ＩＥＥＥ８０２．１１（Ｗｉ−Ｆｉ）、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションズシステム（ＵＭＴＳ：Universal Mobile Telecommunications system）の一部である。３ＧＰＰロングタームエボリューション（ＬＴＥ）およびＬＴＥアドバンスト（ＬＴＥ−ａ）は、Ｅ−ＵＴＲＡを使用するユニバーサルモバイルテレコミュニケーションズシステム（ＵＭＴＳ）の新しいリリースである。ＵＴＲＡ、Ｅ−ＵＴＲＡ、ユニバーサルモバイルテレコミュニケーションズシステム（ＵＭＴＳ）、ＬＴＥ、ＬＴＥ−ａ、およびモバイル通信用グローバルシステム（ＧＳＭ）は、「第３世代パートナーシッププロジェクト」（３ＧＰＰ）と称する団体からの文書に記載されている。ＣＤＭＡ２０００およびＵＭＢは、「第３世代パートナーシッププロジェクト２」（３ＧＰＰ２）と称する団体からの文書に記載されている。本明細書で説明される技法は、上記のシステムおよび無線技術、ならびに他のシステムおよび無線技術のために使用され得る。ただし、本明細書の説明は、例としてＬＴＥシステムについて説明し、上記の説明の大部分においてＬＴＥ用語が使用されるが、本技法はＬＴＥ適用例以外に適用可能である。
【０１１２】
[0120]本明細書で説明されるそのようなネットワークを含む、ＬＴＥ／ＬＴＥ−ａネットワークでは、発展型ノードＢ（ｅＮＢ）という用語は、概して、基地局を表すために使用され得る。本明細書で説明される１つまたは複数のワイヤレス通信システムは、異なるタイプの発展型ノードＢ（ｅＮＢ）が様々な地理的領域にカバレージを与える異種ＬＴＥ／ＬＴＥ−ａネットワークを含み得る。たとえば、各ｅＮＢまたは基地局は、マクロセル、スモールセル、または他のタイプのセルに通信カバレージを与え得る。「セル」という用語は、コンテキストに応じて、基地局、基地局に関連するキャリアまたはコンポーネントキャリア、あるいはキャリアまたは基地局のカバレージエリア（たとえば、セクタなど）を表すために使用され得る３ＧＰＰ用語である。
【０１１３】
[0121]基地局は、基地トランシーバ局、無線基地局、アクセスポイント、無線トランシーバ、ノードＢ、ｅノードＢ（ｅＮＢ）、ホームノードＢ、ホームｅノードＢ、または何らかの他の好適な用語を含み得るか、またはそのように当業者によって呼ばれることがある。基地局のための地理的カバレージエリアは、カバレージエリアの一部分のみを構成するセクタに分割され得る。本明細書で説明される１つまたは複数のワイヤレス通信システムは、異なるタイプの基地局（たとえば、マクロセル基地局またはスモールセル基地局）を含み得る。本明細書で説明されるＵＥは、マクロｅＮＢ、スモールセルｅＮＢ、リレー基地局などを含む、様々なタイプの基地局およびネットワーク機器と通信することが可能であり得る。異なる技術のための重複する地理的カバレージエリアがあり得る。
【０１１４】
[0122]マクロセルは、概して、比較的大きい地理的エリア（たとえば、半径数キロメートル）をカバーし、サービスに加入しているＵＥによるネットワークプロバイダとの無制限アクセスを可能にし得る。スモールセルは、マクロセルと比較して、マクロセルと同じまたは異なる（たとえば、認可、無認可などの）周波数帯域内で動作し得る、低電力基地局である。スモールセルは、様々な例によれば、ピコセルとフェムトセルとマイクロセルとを含み得る。ピコセルは、たとえば、小さい地理的エリアをカバーし得る、ネットワークプロバイダのサービスに加入しているＵＥによる無制限アクセスを可能にし得る。フェムトセルは、小さい地理的エリア（たとえば、自宅）を同じくカバーし得、フェムトセルとの関連を有するＵＥ（たとえば、限定加入者グループ（ＣＳＧ）中のＵＥ、自宅内のユーザのためのＵＥなど）による制限付きアクセスを与え得る。マクロセルのためのｅＮＢはマクロｅＮＢと呼ばれることがある。スモールセルのためのｅＮＢは、スモールセルｅＮＢ、ピコｅＮＢ、フェムトｅＮＢ、またはホームｅＮＢと呼ばれることがある。ｅＮＢは、１つまたは複数の（たとえば、２つ、３つ、４つなどの）セル（たとえば、コンポーネントキャリア）をサポートし得る。ＵＥは、マクロｅＮＢ、スモールセルｅＮＢ、リレー基地局などを含む、様々なタイプの基地局およびネットワーク機器と通信することが可能であり得る。
【０１１５】
[0123]本明細書で説明される１つまたは複数のワイヤレス通信システムは、同期動作または非同期動作をサポートし得る。同期動作の場合、基地局は同様のフレームタイミングを有し得、異なる基地局からの送信は近似的に時間的に整合され得る。非同期動作の場合、基地局は異なるフレームタイミングを有し得、異なる基地局からの送信は時間的に整合されないことがある。本明細書で説明される技法は、同期動作または非同期動作のいずれかのために使用され得る。
【０１１６】
[0124]本明細書で説明されるダウンリンク送信は順方向リンク送信と呼ばれることもあり、アップリンク送信は逆方向リンク送信と呼ばれることもある。たとえば、図１および図２のワイヤレス通信システム１００および２００を含む、本明細書で説明される各通信リンクは、１つまたは複数のキャリアを含み得、ここで、各キャリアは、複数のサブキャリアからなる信号（たとえば、異なる周波数の波形信号）であり得る。各被変調信号は、異なるサブキャリア上で送られ得、制御情報（たとえば、基準信号、制御チャネルなど）、オーバーヘッド情報、ユーザデータなどを搬送し得る。本明細書で説明される通信リンク（たとえば、図１の通信リンク１２５）は、周波数分割複信（ＦＤＤ）動作を使用して（たとえば、対スペクトルリソースを使用して）または時分割複信（ＴＤＤ）動作を使用して（たとえば、不対スペクトルリソースを使用して）双方向通信を送信し得る。周波数分割複信（ＦＤＤ）（たとえば、フレーム構造タイプ１）およびＴＤＤ（たとえば、フレーム構造タイプ２）のためのフレーム構造が定義され得る。
【０１１７】
[0125]添付の図面に関して本明細書に記載される説明は、例示的な構成について説明しており、実装され得るまたは特許請求の範囲内に入るすべての例を表すとは限らない。本明細書で使用される「例示的」という用語は、「例、事例、または例示の働きをすること」を意味し、「好ましい」または「他の例よりも有利な」を意味しない。詳細な説明は、説明される技法の理解を与えるための具体的な詳細を含む。ただし、これらの技法は、これらの具体的な詳細なしに実施され得る。いくつかの事例では、説明された例の概念を不明瞭にすることを回避するために、よく知られている構造およびデバイスがブロック図の形式で示される。
【０１１８】
[0126]添付の図では、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが本明細書において使用される場合、その説明は、第２の参照ラベルにかかわらず、同じ第１の参照ラベルを有する同様の構成要素のうちのいずれか１つに適用可能である。
【０１１９】
[0127]本明細書で説明される情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１２０】
[0128]本明細書の開示に関して説明された様々な例示的なブロックおよびモジュールは、汎用プロセッサ、デジタル信号プロセッサ（ＤＳＰ）、ＡＳＩＣ、ＦＰＧＡまたは他のプログラマブル論理デバイス、個別ゲートまたはトランジスタ論理、個別ハードウェア構成要素、あるいは本明細書で説明された機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ（たとえば、デジタル信号プロセッサ（ＤＳＰ）とマイクロプロセッサとの組合せ、複数のマイクロプロセッサ、ＤＳＰコアと連携する１つまたは複数のマイクロプロセッサ、または任意の他のそのような構成）としても実装され得る。
【０１２１】
[0129]本明細書で説明された機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとして、コンピュータ可読媒体上に記憶されるか、またはコンピュータ可読媒体を介して送信され得る。他の例および実装形態は、本開示の範囲内および添付の特許請求の範囲内に入る。たとえば、ソフトウェアの性質により、上記で説明された機能は、プロセッサ、ハードウェア、ファームウェア、ハードワイヤリング、またはこれらのいずれかの組合せによって実行されるソフトウェアを使用して実装され得る。機能を実装する特徴はまた、機能の部分が、異なる物理的ロケーションにおいて実装されるように分散されることを含めて、様々な位置に物理的に配置され得る。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、Ａ、Ｂ、またはＣのうちの少なくとも１つの列挙が、ＡまたはＢまたはＣまたはＡＢまたはＡＣまたはＢＣまたはＡＢＣ（すなわち、ＡおよびＢおよびＣ）を意味するような包括的列挙を示す。
【０１２２】
[0130]コンピュータ可読媒体は、ある場所から別の場所へのコンピュータプログラムの転送を可能にする任意の媒体を含む、非一時的コンピュータ記憶媒体と通信媒体の両方を含む。非一時的記憶媒体は、汎用または専用コンピュータによってアクセスされ得る任意の利用可能な媒体であり得る。限定ではなく例として、非一時的コンピュータ可読媒体は、ＲＡＭ、ＲＯＭ、電気的消去可能プログラマブル読取り専用メモリ（ＥＥＰＲＯＭ（登録商標））、コンパクトディスク（ＣＤ）ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の非一時的媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、デジタル加入者回線（ＤＳＬ）、または赤外線、無線、およびマイクロ波などのワイヤレス技術は、媒体の定義に含まれる。本明細書で使用されるディスク（disk）およびディスク（disc）は、ＣＤ、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【０１２３】
[0131]本明細書の説明は、当業者が本開示を作成または使用することができるように与えられた。本開示への様々な変更は当業者には容易に明らかとなり、本明細書で定義された一般原理は、本開示の範囲から逸脱することなく他の変形形態に適用され得る。したがって、本開示は、本明細書で説明された例および設計に限定されるべきでなく、本明細書で開示された原理および新規の特徴に合致する最も広い範囲を与えられるべきである。
【図１】
2018518105.tif 000003
【図２】
2018518105.tif 000004
【図３】
2018518105.tif 000005
【図４】
2018518105.tif 000006
【図５】
2018518105.tif 000007
【図６】
2018518105.tif 000008
【図７】
2018518105.tif 000009
【図８】
2018518105.tif 000010
【図９】
2018518105.tif 000011
【図１０】
2018518105.tif 000012
【図１１】
2018518105.tif 000013
【図１２】
2018518105.tif 000014
【図１３】
2018518105.tif 000015
【図１４】
2018518105.tif 000016
【国際調査報告】
2018518105.tif 000017
2018518105.tif 000018
2018518105.tif 000019